(57)【特許請求の範囲】
【請求項１】
遊技情報取得条件の成立を起因に遊技情報を取得する遊技情報取得手段と、
前記遊技情報取得手段により取得した遊技情報を変動開始条件が成立するまで記憶する保留手段と、
前記変動開始条件の成立を起因に、前記遊技情報に基づいて複数の識別図柄を変動表示する表示手段と、を備えた遊技機において、
前記表示手段で前記識別図柄の変動表示中の表示態様が特定態様となるか否かを前記変動開始条件の成立時に判定する特定態様判定手段と、
前記遊技情報取得手段で取得された遊技情報に対し、前記表示態様が前記特定態様となるか否かを前記変動開始条件の成立以前に事前判定する事前判定手段と、
前記事前判定手段による判定結果に基づいて前記表示態様が前記特定態様になることを前記変動開始条件の成立以前に報知するか否かを決定する事前報知決定手段と、
前記特定態様判定手段或いは前記事前報知決定手段による判定結果に基づいて前記特定態様となるか否かを前記識別図柄の変動表示中に報知する特定態様予告手段と、
を備え、
前記特定態様予告手段は、
前記特定態様判定手段によって前記変動開始条件の成立時の遊技情報が特定態様になると判定された場合には特定態様になることを報知可能な第１報知予告と、
前記変動開始条件の成立時の遊技情報が特定態様にならないと判定された場合で且つ、前記事前報知決定手段によって前記変動開始条件の成立以前に報知しないことが決定されている場合に、前記表示手段で変動表示中に特定態様にならないことを報知可能な第２報知予告と、
前記変動開始条件の成立時の遊技情報が特定態様にならないと判定された場合で且つ、前記事前報知決定手段によって前記変動開始条件の成立以前に報知することが決定されている場合に、前記表示手段で変動表示中に前記特定態様とならないことを報知した後、前記変動開始条件が成立していない遊技情報で特定態様となることを報知可能な第３報知予告と、
前記変動開始条件の成立時の遊技情報が特定態様にならないと判定された場合で且つ、前記事前報知決定手段によって前記変動開始条件の成立以前に報知することが決定されている場合に、前記変動開始条件の成立時の遊技情報が特定態様にならないと判定された遊技情報について前記表示手段で変動表示中に前記特定態様とならないことを報知せずに前記変動開始条件が成立していない遊技情報について特定態様となることを報知可能な第４報知予告と、を実行可能に構成し、
前記第１報知予告は、少なくとも前記第２報知予告、及び第３報知予告と共通の第１共通部分と前記第２報知予告及び前記第３報知予告の非共通の第１非共通部分とで構成され、
前記第２報知予告は、少なくとも前記第１共通部分と、前記第１報知予告と非共通で且つ前記第３報知予告と共通な第２共通部分とで構成され、
前記第３報知予告は、少なくとも前記第１共通部分と前記第２共通部分と、前記第１報知予告及び前記第２報知予告と非共通で且つ前記第４報知予告と共通の第２非共通部分とで構成され、
前記第１非共通部分で前記変動開始条件の成立時の遊技情報が前記特定態様になることの報知を行う一方、前記第２非共通部分で前記変動開始条件の成立前の遊技情報が前記特定態様になることの報知を行うことを特徴とする遊技機。
【発明の詳細な説明】
【技術分野】
【０００１】
本発明は、表示手段に表示される判定結果表示用の識別図柄が特定態様になるか否かの予告を行う遊技機に関する。
【背景技術】
【０００２】
従来、パチンコ遊技機等においては、表示手段に複数の識別図柄を変動表示させた後、停止表示した識別図柄の停止態様によって、遊技の当否判定結果を示すものがある。また、変動表示される識別図柄が、当否判定結果の当たりを示す停止態様を構成する識別図柄の一つを除く構成と同一構成のリーチ状態となるか否かを予告する遊技機がある。
【先行技術文献】
【特許文献】
【０００３】
【特許文献１】特開２００１−２１８９１７号公報
【発明の概要】
【発明が解決しようとする課題】
【０００４】
しかし、リーチ状態の予告を行う従来の遊技機では、リーチ状態となるか否かを示すだけものであり、リーチ状態とならない予告が行われた場合には、遊技者を落胆させるだけであった。
【０００５】
本発明は、前記の点に鑑みなされたものであって、識別図柄の変動表示中の表示態様が特定態様とならないことが予告された場合にも、その後の遊技に対する期待感を向上させることが可能な遊技機の提供を目的とする。
【課題を解決するための手段】
【０００６】
請求項１の発明は、遊技情報取得条件の成立を起因に遊技情報を取得する遊技情報取得手段と、前記遊技情報取得手段により取得した遊技情報を変動開始条件が成立するまで記憶する保留手段と、前記変動開始条件の成立を起因に、前記遊技情報に基づいて複数の識別図柄を変動表示する表示手段と、を備えた遊技機において、前記表示手段で前記識別図柄の変動表示中の表示態様が特定態様となるか否かを前記変動開始条件の成立時に判定する特定態様判定手段と、前記遊技情報取得手段で取得された遊技情報に対し、前記表示態様が前記特定態様となるか否かを前記変動開始条件の成立以前に事前判定する事前判定手段と、前記事前判定手段による判定結果に基づいて前記表示態様が前記特定態様になることを前記変動開始条件の成立以前に報知するか否かを決定する事前報知決定手段と、前記特定態様判定手段或いは前記事前報知決定手段による判定結果に基づいて前記特定態様となるか否かを前記識別図柄の変動表示中に報知する特定態様予告手段と、を備え、前記特定態様予告手段は、前記特定態様判定手段によって前記変動開始条件の成立時の遊技情報が特定態様になると判定された場合には特定態様になることを報知可能な第１報知予告と、前記変動開始条件の成立時の遊技情報が特定態様にならないと判定された場合で且つ、前記事前報知決定手段によって前記変動開始条件の成立以前に報知しないことが決定されている場合に、前記表示手段で変動表示中に特定態様にならないことを報知可能な第２報知予告と、前記変動開始条件の成立時の遊技情報が特定態様にならないと判定された場合で且つ、前記事前報知決定手段によって前記変動開始条件の成立以前に報知することが決定されている場合に、前記表示手段で変動表示中に前記特定態様とならないことを報知した後、前記変動開始条件が成立していない遊技情報で特定態様となることを報知可能な第３報知予告と、前記変動開始条件の成立時の遊技情報が特定態様にならないと判定された場合で且つ、前記事前報知決定手段によって前記変動開始条件の成立以前に報知することが決定されている場合に、前記変動開始条件の成立時の遊技情報が特定態様にならないと判定された遊技情報について前記表示手段で変動表示中に前記特定態様とならないことを報知せずに前記変動開始条件が成立していない遊技情報について特定態様となることを報知可能な第４報知予告と、を実行可能に構成し、前記第１報知予告は、少なくとも前記第２報知予告、及び第３報知予告と共通の第１共通部分と前記第２報知予告及び前記第３報知予告の非共通の第１非共通部分とで構成され、前記第２報知予告は、少なくとも前記第１共通部分と、前記第１報知予告と非共通で且つ前記第３報知予告と共通な第２共通部分とで構成され、前記第３報知予告は、少なくとも前記第１共通部分と前記第２共通部分と、前記第１報知予告及び前記第２報知予告と非共通で且つ前記第４報知予告と共通の第２非共通部分とで構成され、前記第１非共通部分で前記変動開始条件の成立時の遊技情報が前記特定態様になることの報知を行う一方、前記第２非共通部分で前記変動開始条件の成立前の遊技情報が前記特定態様になることの報知を行うことを特徴とする。
【０００８】
請求項２の発明は、請求項１において、前記保留手段に記憶されている保留数を表示する保留数表示手段を備え、前記第３報知予告の前記第２非共通部分は、前記保留数の表示に対して行うことを特徴とする。
【０００９】
請求項３の発明は、請求項１または２において、前記特定態様予告手段は、前記第３報知予告を実行する場合に、前記第２報知予告の実行を禁止する予告禁止手段を備えることを特徴とする。
【発明の効果】
【００１０】
請求項１の発明によれば、特定態様状態にならないことが予告された場合であっても、識別図柄の変動表示が行われていない遊技情報の中に事前報知決定手段により特定態様状態になると報知することが決定されている場合には、当該変動で特定態様にならないことが報知された後に識別図柄の変動表示が行われていない遊技情報に対して報知が行われるため、その後の遊技に対する遊技者の期待感を向上させることが可能となる。
【００１１】
請求項１の発明によれば、第２報知予告と第３報知予告で共通部分が存在するため、特定態様にならないと報知された後であっても識別図柄の変動表示が行われていない遊技情報に対して報知が行われる可能性があり、その後の遊技に対する遊技者の期待感を向上させることが可能となる。
【００１２】
請求項２の発明によれば、第３報知予告の第２非共通部分が、保留数の表示に対して行われるため、保留の遊技情報に対して特定態様の期待感が高まることになり、その後の遊技に対する遊技者の期待感を向上させることが可能となる。
【００１３】
請求項３の発明によれば、予告禁止手段によって、共通部分を有する第２報知演出と第３報知予告が同時に実行されることで共通部分が重複することを抑制することが可能となる。
【図面の簡単な説明】
【００１４】
【図１】本発明の一実施例に係る遊技機の正面図である。
【図２】同遊技機の裏側を示す図である。
【図３】同遊技機の制御基板や装置等の接続を示すブロック図である。
【図４】第１報知予告の例を示す図である。
【図５】第２報知予告の例を示す図である。
【図６】第３報知予告の例を示す図である。
【図７】通常保留変化予告の例を示す図である。
【図８】同遊技機における主制御基板が行うメイン処理のフローチャートである。
【図９】同メイン処理用割り込み処理のフローチャートである。
【図１０】始動入賞口スイッチ検出処理のフローチャートである。
【図１１】事前判定処理のフローチャートである。
【図１２】普通動作処理のフローチャートである。
【図１３】特別動作処理のフローチャートである。
【図１４】特別図柄待機処理のフローチャートである。
【図１５】特別図柄大当たり判定処理のフローチャートである。
【図１６】特別図柄選択処理のフローチャートである。
【図１７】特別図柄変動パターン選択処理の第１フローチャートである。
【図１８】特別図柄変動パターン選択処理の第２フローチャートである。
【図１９】特別図柄乱数シフト処理のフローチャートである。
【図２０】変動中処理のフローチャートである。
【図２１】特別図柄確定処理のフローチャートである。
【図２２】特別電動役物処理の第１フローチャートである。
【図２３】特別電動役物処理の第２フローチャートである。
【図２４】保留数処理のフローチャートである。
【図２５】電源断監視処理のフローチャートである。
【図２６】サブ制御メイン処理のフローチャートである。
【図２７】外部ＩＮＴ割り込み処理のフローチャートである。
【図２８】２ｍｓタイマ割り込み処理のフローチャートである。
【図２９】１０ｍｓタイマ割り込み処理のフローチャートである。
【図３０】メインコマンド解析処理のフローチャートである。
【図３１】変動コマンド処理のフローチャートである。
【図３２】保留情報コマンド処理のフローチャートである。
【図３３】保留変化予告抽選処理のフローチャートである。
【図３４】変動コマンド処理のフローチャートである。
【図３５】第２予告抽選処理のフローチャートである。
【図３６】第３予告抽選処理のフローチャートである。
【図３７】第１予告抽選処理のフローチャートである。
【発明を実施するための形態】
【００１５】
以下、添付の図面に基づき本発明の実施例を説明する。図１に示す遊技機１は、遊技媒体として遊技球を用いるパチンコ遊技機であって、遊技盤２の縁に外側誘導レール３及び内側誘導レール４が略円形に配置され、前記外側誘導レール３及び内側誘導レール４によって区画された遊技領域６が前記遊技盤２上に設けられている。前記遊技領域６には遊技球を誘導する誘導釘Ｒが遊技盤２の表面に設けられている。また、遊技機１の前面側には、装飾ランプ等からなるランプ装置３５、発射装置へ供給する遊技球と払い出された遊技球を受けるための上側球受け皿３６、該上側球受け皿３６の満杯時に遊技球を受けるための下側球受け皿３７、効果音等を発するスピーカ３８、遊技者の発射操作に応じて遊技球を前記遊技領域６へ向けて弾発発射するための発射装置６４、遊技者による操作可能な遊技操作スイッチ６７が設けられている。図１における符号Ｗ１は遊技機の外枠、Ｗ２は外枠Ｗ１に取り付けられた前枠、Ｇは前記前枠Ｗ２に開閉可能にヒンジで取り付けられたガラス枠である。以下、遊技機１の主要な部分について説明する。
【００１６】
前記遊技領域６には、中心線上の上部から下部に向かって順に表示装置１０、上側始動入賞口４１、下側始動入賞口４２、大入賞口４５、アウト口４８が配置されている。前記上側始動入賞口４１及び下側始動入賞口４２の左には左袖第１入賞口５１と左袖第２入賞口５２が配置され、また、大入賞口４５の左右には左落とし入賞口５３と右落とし入賞口５４が配置されている。また、前記表示装置１０の左には普通図柄変動開始用ゲート５５、その下方には風車７６が設けられている。一方、前記表示装置１０の右下方には普通図柄表示装置５０が組み込まれている。
【００１７】
前記上側始動入賞口４１、下側始動入賞口４２、大入賞口４５、左袖第１入賞口５１、左袖第２入賞口５２、左落とし入賞口５３、右落とし入賞口５４は、前記遊技領域６に発射された遊技球が入賞可能な複数の入賞口に相当する。また、前記上側始動入賞口４１及び下側始動入賞口４２は、前記遊技領域６に打ち込まれた遊技球が入球可能な始動入賞口に相当する。前記遊技領域６へ発射されて遊技領域６内を流下する遊技球が前記の各入賞口に入賞（入球）すると１入賞球の入賞に対して所定個数の賞品球（遊技球）が遊技者に払い出される。前記１入賞球の入賞に対する賞品球の払出個数は、前記入賞口毎に設定されている。
【００１８】
前記表示装置１０は、複数の識別図柄を変動表示する表示手段に相当する。本実施例では、前記識別図柄として特別図柄が用いられる。前記表示装置１０は、図柄等の画像が表示可能なものであって、液晶，ドットマトリックス若しくはＬＥＤ表示装置等の画像表示装置からなり、本実施例では、液晶表示器（ＴＦＴ−ＬＣＤモジュール）で構成されている。前記表示装置１０は、複数の特別図柄を変動パターンに従って所定時間変動表示した後に停止表示可能に構成され、停止表示された特別図柄によって当否の判定結果を示す。前記特別図柄は判定図柄と称することもできる。
【００１９】
前記表示装置１０では、左右に並ぶ左特別図柄（左識別図柄）と中特別図柄（中識別図柄）と右特別図柄（右識別図柄）がそれぞれ変動パターンに従って変動表示し、変動パターンに設定されている変動時間変動表示した後、当否判定結果に基づき左特別図柄、中特別図柄、右特別図柄が確定停止特別図柄（確定停止識別図柄）として停止表示される。また、前記表示装置１０では前記特別図柄の変動表示と共に、背景、キャラクター、文字等（音声や発光等も適宜含まれる）で構成される演出が表示可能となっている。前記変動パターンは、後述するように複数設けられ、複数の変動パターンから選択された変動パターンに基づいて特別図柄の変動表示が前記表示装置１０で行われる。
【００２０】
本実施例において変動および停止表示される左特別図柄、中特別図柄、右特別図柄は、それぞれ『０，１，２，３，４，５，６，７，８，９，１０，１１』の１２通りの図柄とされている。本実施例では、遊技の当否判定結果が大当たりの場合には、前記表示装置１０に大当たりの特別図柄組合せ、この例では『０，０，０』（いわゆる‘０’のぞろ目）や『１，１，１』（いわゆる‘１’のぞろ目）等、同一数字の組合せで特別図柄が停止表示される。大当たりの場合には、外れの場合よりも遊技者にとって有利な（遊技球を獲得し易い）特別遊技（大当たり遊技）が実行される。なお、遊技の当否判定結果が外れの場合には、特別図柄がぞろ目以外の組合せで表示装置１０に停止表示される。
【００２１】
前記普通図柄表示装置５０は、液晶、ドットマトリックス若しくはＬＥＤ表示装置等の表示装置からなる。本実施例の普通図柄表示装置５０は、ＬＥＤ表示装置からなる。本実施例における普通図柄表示装置５０に変動及び停止表示される普通図柄は『○』，『×』の２種類からなる。普通図柄当たりの場合には、前記普通図柄表示装置５０に『○』の普通図柄が停止表示され、外れの場合には『×』が表示される。
【００２２】
前記上側始動入賞口４１は、上方が開口した形状からなって遊技球が上方から入球（入賞）可能となっている。
一方、前記下側始動入賞口４２は、２つの可動片４２ａ，４２ｂが背面の始動入賞口用ソレノイドによって略垂直で遊技球の入賞（入球）困難な閉鎖状態（通常状態）と略Ｖ字形（逆ハの字形）の入賞可能な開状態間を変化可能に制御されている。前記下側始動入賞口４２の開状態への移行は、前記普通図柄表示装置５０で普通図柄が変動した後、普通図柄当たりを示す当たり普通図柄（本実施例では『○』）で確定停止表示された時に行われる。
【００２３】
また、前記遊技盤２の背面には、前記上側始動入賞口４１に入賞（入球）した遊技球を検出する上側始動入賞口検出スイッチ（上側始動入賞口センサ）と、前記下側始動入賞口４２へ入賞（入球）した遊技球を検出する下側始動入賞口検出スイッチ（下側始動入賞口センサ）がそれぞれの入賞球用通路に設けられている。本実施例において前記上側始動入賞口４１あるいは下側始動入賞口４２への遊技球の入賞（入球）検出は、乱数値の取得の起因および前記特別図柄の変動表示開始の起因とされ、さらには、判定条件の成立に設定されており、また、前記判定条件の成立に起因して当否判定手段により大当たりか否かが判定される。
【００２４】
前記上側始動入賞口４１あるいは下側始動入賞口４２に入賞して前記上側始動入賞口検出スイッチ（上側始動入賞口センサ）、前記下側始動入賞口検出スイッチで検出された遊技球検出数（始動入賞口入賞球数）及び取得した乱数値を含む遊技情報を予め設定された設定数まで特別図柄保留数として入賞順に記憶し、特別図柄の変動表示を一旦保留して順次特別図柄の変動表示が開始されることにより、記憶されている特別図柄保留数の数を減らし、記憶を消去している。前記上側始動入賞口４１及び下側始動入賞口４２への入賞に対する記憶は、前記表示装置１０で現在変動中の記憶を含まず、最大４個に設定されている。前記特別図柄保留数は、前記表示装置１０に表示される。
【００２５】
なお、前記始動入賞口検出スイッチ（上側始動入賞口検出スイッチ、下側始動入賞口検出スイッチ）による遊技球検出数（特別図柄保留数）が最大個数まで記憶されている時には、前記始動入賞口検出スイッチがそれ以上入賞遊技球を検出しても、保留数としては記憶されない無効球（オーバーフロー入賞球）とされ、その無効球については乱数値の記憶、当否判定及び特別図柄の変動を行うことなく、入賞に対する賞球遊技球が所定数払い出される。
【００２６】
前記普通図柄変動開始用ゲート５５は、前記遊技盤２の背面に設けられた普通図柄変動開始スイッチで普通図柄変動開始用ゲート５５を通過する遊技球が検出されることに基づいて前記普通図柄表示装置５０で普通図柄の変動を開始させるようになっている。また、前記普通図柄の変動表示中に、前記普通図柄変動開始用ゲート５５を遊技球が通過することによって発生する普通図柄の変動を、前記普通図柄変動装置５０における現在変動中の記憶を含めず最大４個普通図柄保留数として記憶し、普通図柄の変動開始により普通図柄保留数を減らすようになっている。
【００２７】
また、前記遊技盤２の背面には、前記左袖第１入賞口５１の入賞球を検出する左袖第１入賞口用検出スイッチ、前記左袖第２入賞口５２の入賞球を検出する左袖第２入賞口用検出スイッチ、前記左落とし入賞口５３及び右落とし入賞口５４の入賞球を検出する左落とし入賞口用検出スイッチ及び右落とし入賞口用検出スイッチが設けられている。
【００２８】
前記大入賞口４５は、遊技媒体（遊技球）が入賞可能な入賞領域に相当する。前記大入賞口４５は、前記遊技盤２の背面に設けられた大入賞口開放用ソレノイドによって開閉する開閉板４６を備えている。前記開閉板４６は、特別遊技期間中に入賞領域に遊技媒体（遊技球）が入賞可能な開放状態と入賞不可能な閉鎖状態とに変位する変位部材に相当する。この大入賞口４５は、通常は開閉板４６が閉じた状態（閉鎖状態）とされ、当否判定結果が大当たりの場合に実行される特別遊技（大当たり遊技）時に開閉が実行される。また、前記大入賞口４５内には、大入賞口４５に入賞した入賞球を検出する入賞球数カウントスイッチ（カウントセンサ）が設けられている。
【００２９】
前記上側始動入賞口検出スイッチ、下側始動入賞口検出スイッチ、左袖第１入賞口用検出スイッチ、左袖第２入賞口用検出スイッチ、左落とし入賞口用検出スイッチ、右落とし入賞口用検出スイッチ、入賞球数カウントスイッチ（カウントセンサ）は、入賞装置に入賞した遊技球を検出する入賞検出手段に相当する。
【００３０】
前記発射装置６４は、操作レバー６５の操作により駆動する発射モータを裏側に有し、該発射モータの駆動により遊技球を弾発発射するようになっている。前記発射装置６４により発射された発射球は、前記遊技盤２の表面に立設された内側誘導レール４と外側誘導レール３間で構成される発射球誘導路を介して遊技領域６に誘導される。前記遊技領域６に誘導された遊技球は、転動しつつ下方へ落下し、前記各装置及び各入賞口に入賞するか、或いは何処にも入賞しなければ前記アウト口４８から遊技盤２の裏側へ排出される。
【００３１】
前記遊技機１の裏側には、図２に示すように、複数の制御基板や装置等が設けられている。制御基板の主なものとして、主制御基板２００、サブ制御基板２０５、表示制御基板２１０、音声制御基板２２０、払出制御基板２４０、電源基板２５０、発射制御基板２６０等がある。符号２６５は外部端子、２８１は払出装置、２８３は球無し検出センサ、２８９は球貯留タンク、２９１は球誘導樋である。２７１はＲＡＭクリアスイッチ、２７２は電源スイッチである。なお各制御基板には制御回路が設けられている。また、各制御基板は、単独でまたは複数まとめてケースに収納された状態で遊技機１の裏側に配置されている。主な制御基板を、図３のブロック図を用いて簡略に示す。
【００３２】
主制御基板２００は、遊技情報に従って遊技の進行を制御する制御装置に相当する。前記主制御基板２００には、ＣＰＵ、ＲＡＭ、ＲＯＭおよび複数のカウンタを備えたマイクロコンピュータを少なくとも備え、サブ制御基板２０５及び払出制御基板２４０と接続され、また中継回路を介して上側始動入賞口４１、下側始動入賞口４２及び大入賞口４５等と接続されている。前記主制御基板２００は電源基板２５０から電源供給を受けて作動する。
【００３３】
前記主制御基板２００におけるＣＰＵは、制御部、演算部、各種カウンタ、各種レジスタ，各種フラグ等を備え、演算制御を行う他、乱数値も生成し、また指令信号（制御信号あるいはコマンドとも称される）を接続されているサブ制御基板２０５や装置等へ出力（送信）可能に構成されている。また、前記主制御基板２００のＣＰＵは制御プログラムを実行して遊技情報に従って遊技に関わる主制御を行う。遊技情報は、当否判定に関する確率情報や、前記入賞装置への入賞情報や、払出情報、ラウンド状態、演出に関する情報等、遊技の進行に必要な情報である。
【００３４】
前記主制御基板２００から出力される指令信号（コマンド）には、入賞コマンド、保留情報コマンド、大当たりオープニングコマンド、変動コマンド、変動停止コマンド、大当たりコマンド、大当たりラウンドコマンド、大当たりエンディングコマンド等がある。前記変動コマンドには、前記表示装置１０で特別図柄を変動表示させて演出を行う変動パターンのコマンドや図柄に関するコマンドが含まれる。前記主制御基板２００から出力される指令信号には、その他、普通図柄当たりに関するデータ、電源投入時、異常時、大当たりラウンド時等のデータを挙げることができる。なお、主制御基板２００が前記表示装置１０の制御に関して出力する指令信号に基づいて、サブ制御基板２０５が前記表示装置１０に表示する内容を設定する。
【００３５】
前記ＲＡＭは、前記上側始動入賞口検出スイッチ及び下側始動入賞口検出スイッチで遊技球が検出されて取得された遊技情報（特別図柄保留数）の記憶領域、普通図柄変動開始スイッチで遊技球が検出されて取得された遊技情報（普通図柄保留数）の記憶領域、ＣＰＵで生成される各種乱数値用の記憶領域、遊技に必要な遊技データ等の各種データを一時的に記憶する記憶領域や、遊技情報を記憶する記憶領域やフラグ、ＣＰＵの作業領域を備える。前記ＲＡＭは、遊技情報取得手段により取得した遊技情報を変動開始条件が成立するまで記憶する保留手段に相当する。
【００３６】
前記ＲＡＭには、特別図柄保留用遊技情報の記憶領域として記憶領域０〜４が設けられており、現在特別図柄の変動が開始されている遊技情報を含めて５つの遊技情報を記憶することが可能である。遊技情報を取得した際に初めに記憶される領域は記憶領域１となっており、記憶領域１に記憶が存在する場合は記憶領域２、次は記憶領域３と続き、記憶領域４まで記憶が存在する場合には、遊技情報を取得したとしても記憶されることはない。また、記憶領域０には取得した遊技情報が直接記憶されることはなく、後述の特別図柄乱数シフト処理にて記憶領域１の遊技情報が記憶領域０にシフトされるため、前記遊技情報の記憶領域には最大５つの遊技情報を記憶することが可能である。記憶領域２〜４に記憶されている遊技情報は、記憶領域１の遊技情報を記憶領域０にシフトしたことによって空いた記憶領域を詰めるように順にシフトする。記憶領域１が記憶領域の最上位位置である。なお、特別図柄の変動が開始される遊技情報は、記憶領域０にシフトした遊技情報を対象とするため、記憶領域１〜４に記憶される遊技情報は特別図柄の変動が開始されない状態で保留される。前記記憶領域１に記憶されている遊技情報が記憶領域０にシフトされることが、変動開始条件の成立に相当し、記憶領域０にシフトした遊技情報が、変動開始条件が成立した遊技情報に相当する。一方、記憶領域１〜４に記憶されている遊技情報は、変動開始条件が成立する前の遊技情報に相当する。
【００３７】
前記ＲＯＭは、前記ＣＰＵのための制御プログラムや制御データ、前記表示装置での変動表示に関する変動パターンや図柄データ、演出時間等のデータが書き込まれている他、大当たり、普通図柄当たりの判定値等が書き込まれている。
【００３８】
サブ制御基板２０５は、前記主制御基板２００と接続されて主制御基板２００から指令信号を受信可能に構成されると共に、前記表示制御基板２１０と接続されて表示装置１０を制御可能に構成されている。前記サブ制御基板２０５にはＣＰＵ、ＲＯＭ、ＲＡＭ、複数のカウンタを備えたマイクロコンピュータと、前記主制御基板２００とを結ぶ入出力回路と、前記表示制御基板２１０、ランプ中継基板、前記音声制御基板２２０、及び前記遊技操作スイッチ６７とを結ぶ入出力回路を備えている。前記サブ制御基板２０５は、前記主制御基板２００と共に遊技の制御を行う遊技制御手段に相当し、前記主制御基板２００から出力された指令信号に従って遊技の制御を行う。本実施例ではサブ制御基板２０５はランプ制御基板を兼ねており、前記主制御基板２００から出力された指令信号を受信し、受信した指令信号に基づいて、ランプ中継基板や表示制御基板２１０へ指令信号を出力している。前記主制御基板２００からの指令信号には、前記表示装置１０をサブ制御基板２０５が制御するための指令信号及び前記ランプ装置３５に対するデータや信号、入賞コマンド、始動入賞口入賞コマンド、変動コマンド、大当たりコマンド等が含まれ、それらの信号の内容に合わせて遊技の制御を行っている。
【００３９】
前記サブ制御基板２０５のＲＯＭは制御用のプログラムやデータ定数、前記表示装置１０で実行される変動パターンによる演出等や背景演出情報が記憶され、また前記ＲＡＭは、各種データの記憶領域とＣＰＵによる作業領域を有している。前記ランプ中継基板には装飾ランプ等のランプ装置３５が接続され、前記サブ制御基板２０５からランプ中継基板に送信された指令信号によって、ランプ装置３５の作動を制御する。前記サブ制御基板２０５は電源基板２５０から電源供給を受けて作動する。
【００４０】
表示制御基板２１０は、ＣＰＵ、ＲＯＭ、ＲＡＭを備えたマイクロコンピュータと、前記サブ制御基板２０５を結ぶ入力回路と前記表示装置１０を結ぶ出力回路等で構成され、前記サブ制御基板２０５から送信された制御信号に基づいて、前記表示装置１０における表示の制御を行う。前記表示制御基板２１０のＲＯＭには制御用のプログラムが記憶されている。前記表示制御基板２１０は、前記サブ制御基板２０５からの指令信号に基づき、表示制御御基板２１０のＣＰＵがＲＯＭから所定の表示制御データを読み出し、ＲＡＭの記憶領域で制御用データを生成してＶＤＰ（図示せず）に出力する。ＶＤＰは、ＣＰＵからの指令に基づいてＲＯＭから必要なデータを読み出し、表示画像のマップデータを作成し、ＶＲＡＭに格納する。ＶＲＡＭに格納記憶された画像データは、出力回路に備えるＤ／Ａ変換回路にてＲＧＢ信号に変換されて表示装置１０に出力される。
【００４１】
音声制御基板２２０は、前記サブ制御基板２０５から出力される信号により音声信号を合成し、アンプに出力する。アンプは音声信号を増幅してスピーカ３８に出力する。
【００４２】
払出制御基板２４０は、遊技球の払出を制御する払出制御手段に相当し、ＣＰＵ、ＲＯＭ、ＲＡＭを備えたマイクロコンピュータを有する。前記払出制御基板２４０は前記主制御基板２００と電気的接続手段で接続され、前記主制御基板２００から出力される指令信号を受信して払出装置２８１を制御する。前記払出制御基板２４０は電源基板２５０から供給される電源によって作動する。前記払出制御基板２４０のＲＯＭには制御用のプログラムが記憶されている。前記払出制御基板２４０のＲＡＭは、種々の入賞口（入賞装置）への入賞検出に基づき前記払出装置２８１により払い出される賞品球（遊技球）の払出個数を、１入賞球の検出に対する払出個数毎に記憶可能となっている。
【００４３】
前記払出装置２８１は、入賞領域に遊技媒体が入賞することを起因にして遊技者に所定個数の遊技媒体を付与する遊技媒体付与手段に相当する。前記払出装置２８１は、払出モータの駆動によって回転する払出スクリューを備え、前記球誘導樋２９１から誘導されてきて払出装置２８１に至った遊技球を払出スクリューの羽根部分に乗せて払出スクリューが回転することにより徐々に下方へ移動させて遊技球の払い出し行うように構成されている。前記球誘導樋２９１と払出装置２８１の間における遊技球の流路に遊技球の存否を検出する前記球無しセンサ２８３が設けられている。前記払出装置２８１の球出口には、前記払出装置２８１から払い出された遊技球を検出する払出センサが設けられている。
【００４４】
電源基板２５０は、遊技機１の外部より供給される主電源から遊技機１に適する所定電圧の遊技機用電源を生成して主制御基板（遊技制御装置）２００やサブ制御基板２０５、払出制御基板２４０等に供給するものであり、電源装置に相当する。前記主電源は、遊技店側で所要の電圧、本実施例では直流（ＡＣ）２４Ｖに変換されて供給される。
発射制御基板２６０は、前記発射装置６４における発射モータの制御を行う。
【００４５】
前記主制御基板２００に設けられる乱数用カウンタとして、大当たり乱数用カウンタ、大当たり図柄乱数用カウンタ、リーチ乱数用カウンタ、特別図柄データ乱数用カウンタ、変動パターン乱数用カウンタ、普通図柄乱数用カウンタ等がある。
【００４６】
大当たり乱数用カウンタは、当否判定手段による大当たりの判定（当否判定）に用いられ、‘０’〜‘６２９’の乱数からなる。前記大当たり乱数用カウンタの乱数（大当たり乱数）は、遊技機の電源投入時に ‘０’から始まって後述の普通図柄・特別図柄主要乱数更新処理ごとに１加算され、‘６２９’に至ると次には‘０’にされて再び前記加算を繰り返すようになっている。大当たり乱数値は前記上側始動入賞口４１あるいは下側始動入賞口４２への入賞に起因して取得され、その取得値が低確率（２／６３０（１／３１５））状態時には大当たり成立数値として設定されている‘３’，‘３９７’の何れかと一致すれば大当たりとなり、一方高確率（１２／６３０（６／３１５））状態時（確変状態時）には、大当たり成立数値として設定されている‘３’，‘３３’‘５３’，‘５９’，‘１１３’，‘１７３’，‘２２７’，‘２８１’，‘３３７’，‘３９７’，‘４４９’，‘５０３’の何れかと一致すれば大当たりとなる。
【００４７】
大当たり図柄乱数用カウンタは、大当たりの当否判定結果が大当たりの場合に前記表示装置１０に確定停止する大当たり図柄組合せを決定するものであり、‘０’〜‘１１’の乱数からなる。この大当たり図柄乱数は、電源投入時に‘０’から始まって後述の普通図柄・特別図柄主要乱数更新処理ごとに１加算され、‘１１’に至ると次には‘０’に戻って再び前記加算を繰り返すようになっている。大当たり図柄乱数は前記上側始動入賞口４１又は下側始動入賞口４２への入賞に起因して取得される。前記大当たり図柄乱数には、当否判定結果が大当たりの場合に、前記表示装置１０で停止表示される大当たり図柄組合せが割り当てられている。本実施例では、大当たり図柄乱数が‘０’の場合には大当たり図柄組合せが『０，０，０』となる０のぞろ目（全図柄同一）、‘１’の場合には大当たり図柄組合せが『１，１，１』となる１のぞろ目（全図柄同一）、‘２’の場合には『２，２，２』となる２のぞろ目、‘３’の場合には『３，３，３』となる３のぞろ目、‘４’の場合には『４，４，４』となる４のぞろ目、以下同様にして大当たり図柄乱数が‘１１’の場合の大当たり図柄組合せ『１１，１１，１１』まで、大当たり図柄乱数に大当たり図柄組合せが割り当てられている。
【００４８】
また、本実施例では、前記大当たり図柄乱数は、大当たりの場合に確変の決定にも用いられる。
確変（確変大当たり）の場合には、特別遊技（大当たり遊技）の終了後、次に大当たりの当否判定によって大当たりと判定されるまで、大当たりの確率が前記高確率状態（確変状態）とされる。なお確変ではない通常大当たり場合には、特別遊技（大当たり遊技）の終了後、次に大当たりの当否判定によって大当たりと判定されるまで、大当たりの確率が前記低確率状態（通常状態）とされる。本実施例では、当否判定結果が大当たりであって前記大当たり図柄乱数が‘１’、‘３’、‘５’、‘７’、‘９’、‘１１’の何れかの奇数の場合に、すなわち前記表示装置１０に停止表示される大当たり図柄の組合せが『１，１，１』、『３，３，３』、『５，５，５』、『７，７，７』、『９，９，９』、『１１，１１，１１』の何れかの奇数の組合せ（奇数のぞろ目）の場合に高確率状態（確変状態）となる。
一方、当否判定結果が大当たりであって前記大当たり図柄乱数が‘０’、‘２’、‘４’、‘６’、‘８’、‘１０’の何れかの偶数の場合に、すなわち前記表示装置１０に停止表示される大当たり図柄の組合せが『０，０，０』、『２，２，２』、『４，４，４』、『６，６，６』、『８，８，８』、『１０，１０，１０』の何れかの偶数の組合せ（偶数のぞろ目）の場合に低確率状態（通常状態）となる。
【００４９】
また、確変（高確率）状態になると、前記当否判定における大当たりの確率が前記高確率（確変）状態になると共に前記下側始動入賞口４２の開放（拡開）時間が、低確率（通常）状態の１秒から２秒に長くなり、かつ前記下側始動入賞口４２の開放（拡開）回数が低確率（通常）状態の１回から３回に増え、さらに、普通図柄当たりの確率が低確率（通常）状態の１／３００から１／５に増加する。
前記低確率状態（通常状態）は通常遊技に相当し、一方、前記高確率状態（確変状態）は、通常遊技よりも遊技者に有利な特典を付与した特典遊技に相当する。なお、前記特典は、前記下側始動入賞口４２の開放（拡開）時間の短縮及び開放回数の増大、普通図柄当たりの確率増大、あるいは大当たりの確率増大の何れか一のみでもよい。
【００５０】
リーチ乱数用カウンタは、前記大当たり乱数値による大当たりの当否判定結果が外れとなる場合において、リーチ状態を経るか否かを決めるリーチ有無決定用のものであり、‘０’〜‘１２６’の乱数からなる。本実施例におけるリーチ状態は、前記表示装置１０で変動停止表示される左特別図柄、中特別図柄及び右特別図柄のうち、最後に停止表示される特別図柄（例えば中特別図柄）を除いて他の特別図柄（例えば左特別図柄と右特別図柄）が同一となる状態（最終停止図柄を除いて大当たりの特別図柄組合せと等しくなる状態であり、最終的に大当たりの特別図柄組合せとなる場合と外れの特別図柄組合せとなる場合が含まれる状態）をいう。このリーチ乱数用カウンタの乱数（リーチ乱数）は、遊技機１の電源投入時に、‘０’から始まり、後述の普通図柄・特別図柄主要乱数更新処理ごとに１ずつ加算され、数値が‘１２６’に至ると、次に‘０’にされて再び前記加算を繰り返すようになっている。リーチ乱数は、前記上側始動入賞口４１あるいは下側始動入賞口４２への入賞に起因して取得され、当否判定結果が外れの場合に、その数値が予め決定されているリーチ成立数値と対比されてリーチ有無が判断される。本実施例ではリーチ成立数値は、‘５’，‘１７’，‘２８’，‘４０’，‘５１’，‘６３’，‘７４’，‘８６’，‘９７’，‘１０９’，‘１２０’に設定されている。
【００５１】
特別図柄データ乱数用カウンタは、前記大当たり乱数値による大当たり判定結果が外れとなる場合において、前記表示装置１０に停止表示する外れの特別図柄組合せの決定に用いられるものであり、前記表示装置１０に停止表示する左特別図柄を決定する特別図柄データ１の乱数用カウンタと、中特別図柄を決定する特別図柄データ２の乱数用カウンタと、右特別図柄を決定する特別図柄データ３の乱数用カウンタとより構成され、各特別図柄データ乱数用カウンタは、‘０’〜‘１１’の乱数からなる。
【００５２】
前記特別図柄データ１の乱数は、電源投入時に、‘０’から始まって後述の普通図柄・特別図柄主要乱数更新処理ごとに ‘１’ずつ加算され、‘１１’に至ると、次に‘０’に書き換えられて再び前記加算が繰り返される。また、前記特別図柄データ２の乱数は、電源投入時に‘０’から始まって、前記特別図柄データ１の乱数が‘０’に書き換えられる際に‘１’ずつ加算され、‘１１’に至ると、次に‘０’に書き換えられて再び前記加算が繰り返される。さらに、前記特別図柄データ３の乱数は、電源投入時に‘０’から始まって、前記特別図柄データ２の乱数が‘０’に書き換えられる際に‘１’ずつ加算され、‘１１’に至ると、次に‘０’に書き換えられて再び前記加算が繰り返される。これによって、特別図柄データ１〜３の乱数範囲が同一であっても、当該特別図柄データ１〜３の乱数が同期（同一の組合せで加算）するのを避けることができる。
【００５３】
前記特別図柄データ１〜３の各乱数は‘０’の場合には『０』、‘１’の場合には『１』、‘２’の場合には『２』というように、当否判定結果の外れ時に前記表示装置１０に停止表示される左特別図柄、中特別図柄、右特別図柄が割り当てられている。前記特別図柄データ１〜３の乱数は、前記上側始動入賞口４１又は下側始動入賞口４２への入賞に起因して取得され、取得した特別図柄データ１〜３の乱数の組合せによって、外れ時に前記表示装置１０に表示される左特別図柄、中特別図柄、右特別図柄が定まる。
【００５４】
変動パターン乱数用カウンタは、前記表示装置１０における特別図柄（識別図柄）の変動パターンを変動パターンテーブルから選択する際に用いられるものであり、‘０’〜‘１９８’の変動パターン乱数を備える。この変動パターン乱数値は、遊技機１の電源投入時に、‘０’から始まり、後述の普通図柄・特別図柄主要乱数更新処理ごとに１ずつ加算され、数値が‘１９８’に至ると、次に‘０’にされて再び前記加算を繰り返すようになっている。前記変動パターン乱数値は、前記上側始動入賞口４１あるいは下側側始動入賞口４２への入賞に起因して取得される。
【００５５】
前記変動パターンテーブルは複数設けられている。本実施例では、通常当たり変動パターンテーブル、通常リーチハズレ変動パターンテーブル、通常ハズレ変動パターンテーブル、確変当たり変動パターンテーブル、確変リーチハズレ変動パターンテーブル、確変ハズレ変動パターンテーブルからなる６種類のテーブルが設けられている。各変動パターンテーブルは、前記表示装置１０に表示する特別図柄の変動パターンの複数で構成されており、前記主制御基板２００のＲＯＭに記憶されている。変動パターンの選択は、本実施例では、遊技状態が確変状態あるいは通常状態の何れか、及び当否判定結果が当たりか外れかに応じて選択された変動パターンテーブルから、変動パターン乱数値に基づいて１つの変動パターンが選択される。通常当たり変動パターンテーブルからは通常当たり変動パターン、通常リーチハズレ変動パターンテーブルからは通常リーチハズレ変動パターン、通常ハズレ変動パターンテーブルからは通常ハズレ変動パターン、確変当たり変動パターンテーブルからは確変当たり変動パターン、確変リーチハズレ変動パターンテーブルからは確変リーチハズレ変動パターン、確変ハズレ変動パターンテーブルからは確変ハズレ変動パターンがそれぞれ選択される。各変動パターンには変動パターン乱数値が割り当てられており、取得した変動パターン乱数値と対応する変動パターンが選択される。各変動パターンには変動時間が設定されており、設定された変動時間に合わせて前記表示装置１０に表示する特別図柄の変動・停止が定められるように構成されている。
【００５６】
取得された大当たり乱数値、大当たり図柄乱数値、リーチ乱数値、変動パターン乱数値については、それぞれ最大設定個数、前記主制御基板２００のＲＡＭにおける該当領域に前記特別図柄保留数と対応させて格納され、順次使用される。
【００５７】
普通図柄乱数用カウンタは、普通図柄当たりを判定するもので、‘０’〜‘２９９’の普通図柄乱数を有し、遊技機１の電源投入時に、‘０’から始まって後述の普通図柄・特別図柄主要乱数更新処理ごとに ‘１’ずつ加算され、‘２９９’に至ると、次に‘０’に書き換えられて再び前記加算が繰り返される。この普通図柄乱数は、前記普通図柄変動開始用ゲート５５を通過した遊技球を前記普通図柄変動開始スイッチで検出するごとに取得され、最大４個まで前記主制御基板２００のＲＡＭの普通図柄乱数値記憶領域に格納される。前記普通図柄変動開始用ゲート５５を遊技球が通過することに起因して取得された普通図柄乱数の値が、低確率状態時には普通図柄当たり成立数値として設定されている‘５’（１／３００の確率）と一致すれば普通図柄当たりとなり、一方、確変（高確率）状態時には普通図柄当たり成立数値として設定されている‘０’〜‘５９’（１／５）の確率）と一致すれば普通図柄当たりとなる。普通図柄当たりの場合には『○』を普通図柄表示装置５０に表示し、前記下側始動入賞口４２を前記確変状態中か否かに対応した開放回数及び開放時間開放し、一方、取得した普通図柄乱数値が普通図柄当たり成立数値と一致しない場合には、普通図柄外れとなって『×』を普通図柄表示装置５０に表示し、前記下側始動入賞口４２を入賞の困難な状態のままとする。
【００５８】
前記遊技機１の遊技を簡略に説明する。前記遊技機１では、遊技領域６へ向けて発射装置６４により発射された遊技球が、前記種々の入賞口に入賞すると入賞口に応じた所定数の遊技球が賞球として前記払出装置２８１から上側球受け皿３６に払い出される。また、前記普通図柄変動開始用ゲート５５を遊技球が通過すると、普通図柄乱数が取得され、その取得乱数値に基づいて普通図柄当たりの判定が行われると共に、前記普通図柄表示装置５０で普通図柄が変動を開始し、所定時間変動後に停止する。その際、普通図柄当たりの判定結果が当たりの場合には、当たり普通図柄、この例では『○』で停止し、前記下側始動入賞口４２の２つの可動片４２ａ，４２ｂが背面の始動入賞口用ソレノイドによって略垂直で入賞困難な閉鎖状態（通常状態）から略Ｖ字形（逆ハの字形）の入賞可能な開状態に変化する。なお、前記確変状態の場合に普通図柄当たりになると、前記下側始動入賞口４２について２秒の開放が３回行われ、一方、低確率状態の場合に普通図柄当たりになると、１秒の開放が１回行われる。前記下側始動入賞口４２に遊技球が入賞すると、所定数の遊技球が賞球として払い出される。
【００５９】
また、前記上側始動入賞口４１あるいは下側始動入賞口４２に遊技球が入賞すると、特別図柄保留数が４未満であれば、特別図柄保留数を１加算して、大当たり乱数値及び大当たり図柄乱数値、リーチ乱数値、変動パターン乱数値等の乱数値を取得し、前記主制御基板２００のＲＡＭに、最大４となるまで記憶される。そして、前記主制御基板２００のＲＡＭに記憶されている特別図柄保留数が１以上であれば先に取得された大当たり乱数値に基づいて大当たりの当否判定が行われると共に、当否判定結果及び変動パターン乱数値に基づいて変動パターンテーブルから１つの変動パターンが選択される。そして選択された変動パターンに基づいて前記表示装置１０で特別図柄の変動表示が開始される。前記特別図柄保留数は、本実施例では前記当否判定結果に基づく特別図柄の変動表示が行われることにより前記主制御基板２００のＲＡＭから１減算される。なお、主制御基板２００のＲＡＭに記憶されている特別図柄保留数が０の場合には、その後に前記上側始動入賞口４１あるいは下側始動入賞口４２に遊技球が入賞して、前記主制御基板２００のＲＡＭに記憶されている特別図柄保留数が１以上となるまで、前記当否判定及び特別図柄の変動表示が行われない。
【００６０】
選択された変動パターンに設定されている変動時間の経過（変動時間の終了）により、前記表示装置１０で特別図柄が停止表示される。前記特別図柄の変動表示の際、第１報知予告、第２報知予告、第３報知予告、第４報知予告が抽選等で決定された場合に行われる。
【００６１】
第１報知予告は、後述の特定態様判定手段によって変動開始条件の成立時の遊技情報が特定態様になると判定された場合に特定態様になることを報知可能な予告である。なお、前記特定態様は、本実施例では、前記リーチ状態に設定されている。すなわち前記特別図柄がリーチ状態を経て外れの図柄組合せで停止する態様と、前記特別図柄がリーチ状態を経て大当たりの図柄組合せで停止する態様が本発明における特定態様に設定されている。
【００６２】
第２報知予告は、特定態様判定手段によって変動開始条件の成立時の遊技情報が特定態様にならないと判定された場合で且つ、事前報知決定手段によって前記変動開始条件の成立以前に報知しないことが決定されている場合に、前記表示装置１０で特別図柄の変動表示中に特定態様にならないことを報知可能な予告である。
【００６３】
第３報知予告は、特定態様判定手段によって変動開始条件の成立時の遊技情報が特定態様にならないと判定された場合で且つ、事前報知決定手段によって前記変動開始条件の成立以前に報知することが決定されている場合に、前記表示装置１０で特別図柄の変動表示中に特定態様とならないことを報知した後、変動開始条件が成立していない遊技情報で特定態様となることを報知可能な予告である。
【００６４】
第４報知予告は、変動開始条件が成立した遊技情報については特別図柄の変動表示中に特定態様となるか否かの予告を行わず、まだ特別図柄の変動表示が行われない遊技情報の中に事前判定手段により特定態様になると判定された遊技情報が存在する場合に、前記表示装置１０で特別図柄の変動表示開始時に変動開始条件が成立していない遊技情報で特定態様となることを報知可能な予告である。
以下に各報知予告の具体例を説明する。
【００６５】
図４に示す第１報知予告の具体例は、前記特別図柄保留数が４個存在する状態で第１報知予告を行う場合の例である。図４の（４−１）のように、前記表示装置１０で特別図柄Ｔが変動を開始すると共に、前記表示装置１０に設けられている特別図柄保留数表示部Ｈに現在の特別柄保留球数が表示され、さらに前記表示装置１０で第１報知予告が行われる。前記特別図柄保留数表示部Ｈは保留数表示手段に相当する。前記特別図柄保留数表示部Ｈは、発光部が保留球数の上限個数と同じ個数（４個）設けられ、現在の特別柄保留球数の数だけ発光（点灯）する構成となっている。前記第１報知予告では、（４−１）のように、飲料水の缶が４個積み上げられてグラグラ揺れる第１共通部分Ｙａが表示され、次に（４−２）のように前記缶が倒れること無く積み上げられた状態で「成功」の文字が表示される第１非共通部分Ｙｂが表示され、それによって変動中の特別図柄がリーチ状態となることが予告され、その後に前記特別図柄がリーチ状態となる。変動時間の経過により、（４−３）のように残りの特別図柄も停止表示される。前記第１報知予告は、少なくとも前記第１共通部分Ｙａと第１非共通部分Ｙｂで構成される。前記第１共通部分Ｙａは、第１報知予告と第２報知予告及び第３報知予告において共通する部分（表示）である。前記第１非共通部分Ｙｂは第２報知予告及び第３報知予告とは非共通の部分（表示）である。
【００６６】
図５に示す第２報知予告の具体例は、前記特別図柄保留数が４個存在する状態で第２報知予告を行う場合の例である。図５の（５−１）のように、前記表示装置１０で特別図柄Ｔが変動を開始すると共に、前記表示装置１０の特別図柄保留数表示部Ｈに現在の特別柄保留球数が表示され、さらに前記表示装置１０で第２報知予告が行われる。前記第２報知予告では、（５−１）のように、飲料水の缶が４個積み上げられてグラグラ揺れる第１共通部分Ｙａが表示され、次に（５−２）のように前記缶が崩れる状態と共に「失敗」の文字が表示される第２共通部分Ｙｃが表示され、それによって変動中の特別図柄がリーチ状態とならないことが予告される。変動時間の経過によって（５−３）のように前記特別図柄が非リーチ状態の外れの組合せで停止する。前記第２報知予告は、少なくとも前記第１共通部分Ｙａと第２共通部分Ｙｃで構成される。前記第２共通部分Ｙｃは、前記第１報知予告と非共通で且つ第３報知予告と共通な部分（表示）である。
【００６７】
図６に示す第３報知予告の具体例は、前記特別図柄保留数が４個存在する状態で第３報知予告を行う場合の例である。図６の（６−１）のように、前記表示装置１０で特別図柄Ｔが変動を開始すると共に、前記表示装置１０の特別図柄保留数表示部Ｈに現在の特別図柄保留数が表示され、さらに前記表示装置１０で第３報知予告が行われる。前記第３報知予告では、（６−１）のように、飲料水の缶が４個積み上げられてグラグラ揺れる第１共通部分Ｙａが表示され、次に（６−２）のように前記缶が崩れる状態と共に「失敗」の文字が表示される第２共通部分Ｙｃが表示され、それによって変動中の特別図柄がリーチ状態とならないことが予告される。変動時間の経過によって（６−３）のように前記特別図柄が非リーチ状態の外れの組合せで停止すると共に、崩れた缶の一つが前記特別図柄保留数表示部Ｈの上方まで飛んで、缶からこぼれる液体で一つの保留表示Ｈａをそれまでとは異なる色に変化させる第２非共通部分が表示され、それにより、現在変動表示が保留されている遊技情報にリーチ状態となる遊技情報が存在することが予告される。前記第３報知予告は、少なくとも前記第１共通部分Ｙａと前記第２共通部分Ｙｃと第２非共通部分Ｙｄで構成される。前記第２非共通部分Ｙｄは、前記第１報知予告及び前記第２報知予告と非共通の部分（表示）である。
【００６８】
図７に示す第４報知予告の具体例は、前記特別図柄保留数が４個存在する状態で第４報知予告を行う場合の例である。第４報知予告では、前記表示装置１０で特別図柄Ｔが変動開始前の状態（７−１）から（７−２）のように変動を開始した際に、現在変動表示が保留されている遊技情報にリーチ状態となる遊技情報が存在する場合、前記特別図柄保留数表示部Ｈの保留表示Ｈｂを、それまでとは異なる色に変化させることにより、現在変動表示が保留されている遊技情報にリーチ状態となる遊技情報が存在することが予告される。その後、変動時間の終了によって（７−３）のように、特別図柄が停止表示される。
【００６９】
前記変動時間の終了により、前記表示装置１０に左特別図柄、中特別図柄、右特別図柄が外れ図柄組み合わせ（ぞろ目以外の状態）で停止すると、大当たり遊技（特別遊技）に移行することがない。
【００７０】
一方、前記表示装置１０に左特別図柄、中特別図柄、右特別図柄が大当たり図柄組み合わせ（本実施例ではぞろ目）で停止すると、大当たり遊技（特別遊技）に移行する。
【００７１】
前記大当たり遊技（特別遊技）状態になると、前記大入賞口４５の開閉板４６が開いて遊技領域６の表面を落下してくる遊技球を受け止め易くして、大入賞口４５へ入賞可能にする。前記大入賞口４５への入賞が検出されると、１入賞球の検出に対して設定されている払出個数の賞品球が払い出される。前記開閉板４６は、所定時間（例えば２９．５秒）経過後、あるいは入賞球数が所定個数（例えば１０個）となった時点で閉じるようにされている。また、前記大入賞口４５は、前記開閉板４６の開放を所定ラウンド数（例えば１５ラウンド）繰り返すようになっている。
【００７２】
また、本実施例では、前記表示装置１０に『０，０，０』、『２，２，２』、『４，４，４』等の偶数のぞろ目からなる通常大当たり図柄組み合わせで特別図柄が停止表示されると通常大当たりとなり、大当たり遊技（特別遊技）の終了後、次に大当たりになるまで、大当たりの確率が低確率（本実施例では（２／６３０（１／３１５））とされる。一方、前記表示装置１０に『１，１，１』、『３，３，３』、『５，５，５』等の奇数のぞろ目からなる確変大当たり図柄組み合わせで特別図柄が停止表示されると確変大当たりとなり、大当たり遊技（特別遊技）の終了後、次に大当たりになるまで、大当たりの確率が高確率（本実施例では（１２／６３０（６／３１５））に設定され、さらに、普通図柄当たりの場合における前記下側始動入賞口４２の開放（拡開）時間が、低確率（通常）状態の１秒から２秒に長くなり、かつ前記下側始動入賞口４２の開放（拡開）回数が低確率（通常）状態の１回から３回に増え、さらに、普通図柄当たりの確率が低確率（通常）状態の１／３００から１／５に増加する。
【００７３】
以下に遊技機１における制御処理を説明する。前記主制御基板２００の制御回路に設けられる主なフラグとして、本実施例では大当たりフラグ、大当たり終了フラグ、確変フラグ等が挙げられる。これらのフラグは、初期設定時には全てＯＦＦ（＝０）にされる。
【００７４】
まず、前記主制御基板２００による制御処理について説明する。前記主制御基板２００の制御により、図８のフローチャートに示すメイン処理Ｍが行われる。
メイン処理Ｍでは、ＣＰＵ等の初期設定処理（Ｓ１０）、割り込み禁止処理（Ｓ２０）、普通図柄・特別図柄主要乱数更新処理（Ｓ３０）、割り込み許可処理（Ｓ４０）が行われ、最終処理においてループ処理が行われている間に４ｍｓ毎に割り込み処理（Ｓ１００）が実行される。
【００７５】
ＣＰＵ等の初期設定処理（Ｓ１０）では、スタックの設定、割り込み時間の設定、ＣＰＵの設定、ＳＩＯ、ＰＩＯ、ＣＴＣの設定等が行われる。メイン処理Ｍは繰り返し行われるが、ＣＰＵ等の初期設定処理（Ｓ１０）については、電源投入時のみに必要な初期制御手順であり、最初の１巡目のみに実行され、その後は実行されないが、周知であるので詳細は省略する。
【００７６】
割り込み禁止処理（Ｓ２０）では、４ｍｓｅｃごとに割り込み処理（Ｓ１００）が入ってきても、割り込み許可となるまで、割り込みを禁止する。普通図柄・特別図柄主要乱数更新処理（Ｓ３０）では、種々の乱数が普通図柄・特別図柄主要乱数更新処理（Ｓ３０）ごとに加算され、前記のように各乱数の更新範囲上限値に至ると次に最低値に戻って再び加算が行われる。更新された乱数は前記主制御基板２００のＲＡＭに記憶される。割り込み許可処理（Ｓ４０）では、４ｍｓｅｃごとに入ってくる割り込み処理（Ｓ１００）に対して許可をする。
【００７７】
割り込み処理（Ｓ１００）では、図９に示すように、出力処理（Ｓ１０１）、入力処理（Ｓ１０２）、普通図柄・特別図柄主要乱数更新処理（Ｓ１０３）、始動入賞口検出処理（Ｓ１０４）、普通動作処理（Ｓ１０５）、特別動作処理（Ｓ１０６）、保留数処理（Ｓ１０７）、電源断監視処理（Ｓ１０８）、その他の処理（Ｓ１０９）が順に行われる。
【００７８】
出力処理（Ｓ１０１）では、各処理で設定された出力用のコマンド（指令信号）が各制御基板に送信される。
入力処理（Ｓ１０２）では、遊技機１に取り付けられている各種センサ（スイッチ）が検知した場合の信号入力が行われる。
普通図柄・特別図柄主要乱数更新処理（Ｓ１０３）では、前記メイン処理Ｍにおけるループ処理内で行われている普通図柄・特別図柄主要乱数更新処理（Ｓ３０）と同様の処理が行われる。
【００７９】
始動入賞口検出処理（Ｓ１０４）では、図１０に示すように、前記上側始動入賞口４１あるいは下側始動入賞口４２への入賞が検出されたか判断され（Ｓ１０４−１）、入賞が検出されていない場合には前記普通図柄変動開始用ゲート５５への遊技球通過が検出されたか判断される（Ｓ１０４−２）。前記普通図柄変動開始用ゲート５５への遊技球通過が検出されていない場合には、この始動入賞口検出処理（Ｓ１０４）が終了する。一方、前記普通図柄変動開始用ゲート５５への遊技球通過が検出された場合には、前記普通図柄保留数が４以上か判断され（Ｓ１０４−３）、４以上の場合にはこの始動入賞口検出処理（Ｓ１０４）が終了する。一方、前記普通図柄保留数が４未満であれば普通図柄保留数に１加算され（Ｓ１０４−４）、普通図柄乱数値が取得され、取得した普通図柄乱数値が主制御基板２００のＲＡＭにおける対応する領域に記憶する普通図柄乱数取得処理が行われ（Ｓ１０４−５）、この始動入賞口検出処理（Ｓ１０４）が終了する。
【００８０】
前記Ｓ１０４−１で前記上側始動入賞口４１あるいは下側始動入賞口４２への入賞が検出されたと判断されると、前記特別図柄保留数が４以上か判断され（Ｓ１０４−６）、４以上の場合にはこの始動入賞口検出処理（Ｓ１０４）が終了する。一方、前記特別図柄保留数が４未満であれば、特別図柄保留数に１加算され（Ｓ１０４−７）、大当たり乱数値、大当たり図柄乱数値、リーチ乱数値、変動パターン乱数値等の特別図柄関係乱数を取得して主制御基板２００のＲＡＭの対応する領域に記憶する特別図柄関係乱数取得処理が行われ（Ｓ１０４−８）、次に事前判定処理（Ｓ１０４−９）と保留情報コマンドセット（Ｓ１０４−１０）が行われた後にこの始動入賞口検出処理（Ｓ１０４）が終了する。なお、前記特別図柄関係乱数取得処理（Ｓ１０４−８）は、遊技情報取得手段に相当する。
【００８１】
前記事前判定処理（Ｓ１０４−９）では、図１１に示すように、取得した大当たり乱数値が大当たりか判断され（Ｓ１０４−９−１）、大当たりの場合には大当たり入賞コマンドが出力バッファにセットされ（Ｓ１０４−９−４）、この事前判定処理（Ｓ１０４−９）が終了する。前記Ｓ１０４−９−１で大当たりではないと判断されると、取得したリーチ乱数値がリーチ成立か判断され（Ｓ１０４−９−２）、リーチ成立の場合にはリーチ入賞コマンドが出力バッファにセットされ（Ｓ１０９−４−５）、この事前判定処理（Ｓ１０４−９）が終了する。また、Ｓ１０４−９−２でリーチ非成立と判断されると、ハズレ入賞コマンド（非リーチ入賞コマンド）が出力バッファにセットされ（Ｓ１０９−４−３）、この事前判定処理（Ｓ１０４−９）が終了する。
【００８２】
普通動作処理（Ｓ１０５）では、図１２に示すように、まず前記下側始動入賞口４２が開放中か確認される（Ｓ１０５−１）。前記下側始動入賞口４２が閉鎖中であれば、普通図柄保留数が０か確認され（Ｓ１０５−２）、０であればこの普通動作処理（Ｓ１０５）が終了する。一方、普通図柄保留数が０では無い場合には、前記始動入賞口検出処理（Ｓ１０４）の普通図柄乱数取得処理（Ｓ１０４−５）で取得されて主制御基板２００のＲＡＭに記憶されている取得普通図柄乱数値が読み出され（Ｓ１０５−３）、現在確変中（確変フラグがＯＮ）か確認される（Ｓ１０５−４）。確変中ではない場合、前記取得普通図柄乱数値が低確率状態の普通図柄当たり成立数値と対比されて両者が一致するか確認され、一致する場合には低確率状態での普通図柄当たりとなり、一致しない場合には外れと判断される（Ｓ１０５−５）。外れの場合には、この普通動作処理（Ｓ１０５）が終了し、一方、普通図柄当たりの場合には、下側始動入賞口４２を開放時間１秒、開放回数１回で開放する始動入賞口開放処理１が行われ（Ｓ１０５−６）、その後にこの普通動作処理（Ｓ１０５）が終了する。それに対して、Ｓ１０５−４で確変中と判断されると、前記取得普通図柄乱数値が高確率状態の普通図柄たり成立数値と対比されて両者が一致するか確認され、一致する場合には高確率状態での普通図柄当たりとなり、一致しない場合には外れと判断される（Ｓ１０５−７）。外れの場合には、この普通動作処理（Ｓ１０５）が終了し、一方、普通図柄当たりの場合には、下側始動入賞口４２を開放時間２秒、開放回数３回で開放する始動入賞口開放処理２が行われ（Ｓ１０５−８）、その後にこの普通動作処理（Ｓ１０５）が終了する。
【００８３】
また、Ｓ１０５−１で下側始動入賞口４２が開放中と判断されると、下側始動入賞口４２の開放時間が経過（終了）したか確認され（Ｓ１０５−９）、始動入賞口開放時間が経過していない場合には、この普通動作処理（Ｓ１０５）が終了し、一方、始動入賞口開放時間が経過した場合には、下側始動入賞口４２を閉鎖する処理が行われ（Ｓ１０５−１０）、その後にこの普通動作処理（Ｓ１０５）が終了する。
【００８４】
特別動作処理（Ｓ１０６）では、図１３に示すように、特別動作ステータスが１〜４の何れであるか判断される（Ｓ１０６−１〜Ｓ１０６−３）。前記特別動作ステータスが１の場合には特別図柄待機処理（Ｓ１０６−４）が行われ、前記特別動作ステータスが２の場合には変動中処理（Ｓ１０６−５）が行われ、前記特別動作ステータスが３の場合には特別図柄確定処理（Ｓ１０６−６）が行われ、前記特別動作ステータスが４の場合には特別電動役物処理（Ｓ１０６−７）が行われる。
【００８５】
特別動作ステータスが１の場合に行われる特別図柄待機処理（Ｓ１０６−４）では、図１４に示すように、特別図柄保留数が０か否か判断され（Ｓ１０６−４−１）、特別図柄保留数が０の場合には前記表示装置１０が特別図柄の変動中ではない待機画面（待ち受け画面）中か否か判断され（Ｓ１０６−４−９）、待機画面（待ち受け画面）中であれば、この特別図柄待機処理（Ｓ１０６−４）が終了する。一方、待機画面（待ち受け画面）中ではない場合には前記表示装置１０を待機画面（待ち受け画面）にするための待機画面設定処理が行われ（Ｓ１０６−４−１０）、次に待機中にセットされ（Ｓ１０６−４−１１）、その後にこの特別図柄待機処理（Ｓ１０６−４）が終了する。なお、待機画面にする設定処理は、この設定処理がなされてから所定時間の間、前記上側始動入賞口４１あるいは下側始動入賞口４２に遊技球が入賞しない場合に、待ち受け画面をセットするコマンドが出力されるようにする処理である。
それに対して前記Ｓ１０６−４−１で特別図柄保留数が０ではないと判断された場合には、特別図柄大当たり判定処理（Ｓ１０６−４−２）が行われる。
【００８６】
特別図柄大当たり判定処理（Ｓ１０６−４−２）では、図１５に示すように、まず、前記始動入賞口検出処理（Ｓ１０４）の特別図柄関係乱数取得処理（Ｓ１０４−８）で取得されて主制御基板２００のＲＡＭに記憶されている大当たり乱数値が読み出され（Ｓ１０６−４−２−１）、次に現在確変中（高確率状態）か確認される（Ｓ１０６−４−２−２）。確変中か否かは、確変フラグがＯＮの場合に確変中と判断され、一方確変フラグがＯＦＦの場合に確変中ではない低確率状態と判断される。確変中ではない低確率状態の場合、前記取得大当たり乱数値が低確率状態時の大当たり成立数値と対比されて両者が一致するか確認され、一致する場合には低確率状態での大当たりとなり、一致しない場合には外れと判断される（Ｓ１０６−４−２−３）。外れの場合には、この特別図柄大当たり判定処理（Ｓ１０６−４−２）が終了し、一方、大当たりの場合には、大当たりフラグがＯＮにセットされ（Ｓ１０６−４−２−５）、その後にこの特別図柄大当たり判定処理（Ｓ１０６−４−２）が終了する。それに対して、Ｓ１０６−４−２−２で確変中（高確率状態）と判断されると、前記取得大当たり乱数値が高確率状態時の大当たり成立数値と対比されて両者が一致するか確認され、一致する場合には高確率状態での大当たりとなり、一致しない場合には外れと判断される（Ｓ１０６−４−２−４）。外れの場合には、この特別図柄大当たり判定処理（Ｓ１０６−４−２）が終了し、一方、大当たりの場合には、大当たりフラグがＯＮにセットされ（Ｓ１０６−４−２−５）、その後にこの特別図柄大当たり判定処理（Ｓ１０６−４−２）が終了する。この特別図柄大当たり判定処理（Ｓ１０６−４−２）は、当否判定手段に相当する。
【００８７】
前記特別図柄大当たり判定処理（Ｓ１０６−４−２）の次に特別図柄選択処理（Ｓ１０６−４−３）が行われる。
特別図柄選択処理（Ｓ１０６−４−３）では、前記表示装置１０で停止表示する特別図柄の組合せ（判定結果の表示図柄）が決定され、決定された図柄の元となる図柄データが、前記出力処理（Ｓ１０１）でサブ制御基板２０５へ送信されるようにここでセットされる。なお、サブ制御基板２０５の処理では、受信した図柄データに基づく特別図柄の組合せが選択されて、前記表示制御基板２１０へ出力される。
【００８８】
前記特別図柄選択処理（Ｓ１０６−４−３）では、図１６に示すように、まず大当たりフラグがＯＮか判断され（Ｓ１０６−４−３−１）、大当たりフラグがＯＮ、すなわち大当たりの場合には前記大当たり図柄乱数に基づく特別図柄が停止特別図柄としてセットされる（Ｓ１０６−４−３−２）。一方、大当たりフラグがＯＮではない、すなわち外れの場合には、特別図柄データ乱数値（特別図柄データ１・特別図柄データ２・特別図柄データ３）を取得し（Ｓ１０６−４−３−３）、前記特別図柄データ１と特別図柄データ２と特別図柄データ３の乱数値が全て一致しているか判断され（Ｓ１０６−４−３−４）、一致している場合にはリーチ乱数値がリーチ成立数値と一致しているか判断される（Ｓ１０６−４−３−５）。リーチ乱数値がリーチ成立数値と一致している場合にはリーチ有りとなり、前記特別図柄データ１の乱数値に割り当てられている特別図柄が停止左特別図柄、特別図柄データ２の乱数値に１加算した乱数値に割り当てられている特別図柄が停止中特別図柄、特別図柄データ３の乱数値に割り当てられている特別図柄が停止右特別図柄にセットされる（Ｓ１０６−４−３−６）。一方、リーチ乱数値がリーチ成立数値と一致していない場合にはリーチ無しとなり、前記特別図柄データ１の乱数値に割り当てられている特別図柄が停止左特別図柄、特別図柄データ２の乱数値に割り当てられている特別図柄が停止中特別図柄、特別図柄データ３の乱数値に１加算した乱数値に割り当てられている特別図柄が停止右特別図柄にセットされる（Ｓ１０６−４−３−７）。
【００８９】
前記Ｓ１０６−４−３−４で特別図柄データ１と２と３の乱数値が一致していないと判断された場合には、特別図柄データ１と３の乱数値が一致しているか判断される（Ｓ１０６−４−３−８）。特別図柄データ１と３の乱数値が一致している場合には、リーチ乱数値がリーチ成立数値と一致しているか判断される（Ｓ１０６−４−３−９）。リーチ乱数値がリーチ成立数値と一致している場合にはリーチ有りとなり、前記特別図柄データ１の乱数値に割り当てられている特別図柄が停止左特別図柄、特別図柄データ２の乱数値に割り当てられている特別図柄が停止中特別図柄、特別図柄データ３の乱数値に割り当てられている特別図柄が停止右特別図柄にセットされる（Ｓ１０６−４−３−１０）。一方、リーチ乱数値がリーチ成立数値と一致していない場合にはリーチ無しとなり、前記特別図柄データ１の乱数値に割り当てられている特別図柄が停止左特別図柄、特別図柄データ２の乱数値に割り当てられている特別図柄が停止中特別図柄、特別図柄データ３の乱数値に１加算した乱数値に割り当てられている特別図柄が停止右特別図柄にセットされる（Ｓ１０６−４−３−７）。
【００９０】
前記Ｓ１０６−４−３−８で特別図柄データ１と３の乱数値が一致していない、すなわち特別図柄データ１，２，３が全て異なると判断された場合には、リーチ乱数値がリーチ成立数値と一致しているか判断される（Ｓ１０６−４−３−１１）。リーチ乱数値がリーチ成立数値と一致している場合にはリーチ有りとなり、前記特別図柄データ３の乱数値に割り当てられている特別図柄が停止左特別図柄と停止右特別図柄にセットされると共に、特別図柄データ３の乱数値に１加算した乱数値に割り当てられている特別図柄が停止中特別図柄にセットされる（Ｓ１０６−４−３−１２）。一方、リーチ乱数値がリーチ成立数値と一致していない場合にはリーチ無しとなり、前記特別図柄データ１の乱数値に割り当てられている特別図柄が停止左特別図柄、特別図柄データ２の乱数値に割り当てられている特別図柄が停止中特別図柄、特別図柄データ３の乱数値に割り当てられている特別図柄が停止右特別図柄にセットされる（Ｓ１０６−４−３−１０）。なお、前記特別図柄選択処理（Ｓ１０６−４−３）は、図柄データ決定手段に相当し、ここで決定された図柄データがサブ制御基板２０５に送信されて、サブ制御基板２０５の処理で図柄データに従って図柄が設定される。本実施例では、表示装置に表示する図柄を主制御基板２００で選択しているが、サブ制御基板２０５で決定してもよいとする。また、主制御基板２００で決定した図柄を表示装置と異なる他の表示装置で表示し、主制御基板２００で決定した図柄の図柄データに基づいて表示装置に表示する図柄をサブ制御基板２０５で決定してもよいとする。その際は、主制御基板２００とサブ制御基板２０５による表示方法が異なるが、サブ制御基板２０５が主制御基板２００のデータに基づいて図柄を決定していれば互いの図柄の認識が異なっていても良いとする。
【００９１】
前記特別図柄選択処理（Ｓ１０６−４−３）の次に特別図柄変動パターン選択処理（Ｓ１０６−４−４）が行われる。
特別図柄変動パターン選択処理（Ｓ１０６−４−４）は、変動パターン選択手段及び特定態様判定手段に相当し、当否判定結果に基づき複数の変動パターンテーブルから一つのテーブル（変動パターンテーブル）が選択され、選択した変動パターンテーブルから前記変動パターン乱数値により一つの変動パターン（変動コマンド）が選択される。
【００９２】
前記特別図柄変動パターン選択処理（Ｓ１０６−４−４）では、図１７及び図１８に示すように、まず、確変中（高確率状態）か否か判定される（Ｓ１０６−４−４−１）。確変中ではない通常状態（低確率状態）の場合には、大当たりフラグがＯＮ（大当たり）か否か判定される（Ｓ１０６−４−４−２）。大当たりフラグがＯＮ（大当たり）の場合には、通常当たり変動パターンテーブルから変動パターン乱数値に応じて変動パターンが選択される（Ｓ１０６−４−４−３）。
【００９３】
一方、Ｓ１０６−４−４−２で大当たりフラグがＯＦＦ（外れ）と判定されると、記憶されていたリーチ乱数値が読み出されてリーチ成立数値と一致するか判定され（Ｓ１０６−４−４−４）、一致する場合には通常リーチハズレ変動パターンテーブルから変動パターン乱数値に応じて変動パターンが選択され（Ｓ１０６−４−４−５）、一致しない場合には通常ハズレ変動パターンテーブルから変動パターン乱数値に応じて変動パターンが選択される（Ｓ１０６−４−４−６）。
【００９４】
前記Ｓ１０６−４−４−１で確変中（高確率状態）と判断されると、大当たりフラグがＯＮ（大当たり）か否か判断される（Ｓ１０６−４−４−７）。大当たりフラグがＯＮ（大当たり）の場合には、確変当たり変動パターンテーブルから変動パターン乱数値に応じて変動パターンが選択される（Ｓ１０６−４−４−８）。
【００９５】
一方、Ｓ１０６−４−４−７で大当たりフラグがＯＦＦ（外れ）と判定されると、記憶されているリーチ乱数値が読み出されてリーチ成立数値と一致するか判定され、一致する場合には確変リーチハズレ変動パターンテーブルから変動パターン乱数値に応じて変動パターンが選択され（Ｓ１０６−４−４−１０）、一致しないと判定された場合には確変ハズレ変動パターンテーブルから変動パターン乱数値に応じて変動パターンが選択される（Ｓ１０６−４−４−１１）。
【００９６】
前記変動パターンの選択後、選択した変動パターンの変動コマンドが出力バッファに格納され（Ｓ１０６−４−４−１２）、次にその他の処理が行われ（Ｓ１０６−４−４−１３）、その後にこの特別図柄変動パターン選択処理（Ｓ１０６−４−４）が終了する。
【００９７】
前記特別図柄変動パターン選択処理（Ｓ１０６−４−４）の次に特別図柄乱数シフト処理（Ｓ１０６−４−５）が行われる。
特別図柄乱数シフト処理（Ｓ１０６−４−５）では、図１９に示すように、主制御基板２００のＲＡＭにおける特別図柄保留数の記憶領域において記憶領域０の記憶がクリアされ（Ｓ１０６−４−５−１）、記憶領域１〜４に記憶されている遊技情報が、クリアされた領域に順にシフトされる（Ｓ１０６−４−５−２）。すなわち、記憶領域０←記憶領域１←記憶領域２←記憶領域３←記憶領域４の順にシフトが行われる。前記記憶領域０にシフトすることが変動開始条件の成立に相当する。その後、シフト後の保留情報コマンドがセットされ（Ｓ１０６−４−５−３）、その後にこの特別図柄乱数シフト処理（Ｓ１０６−４−５）が終了する。前記保留情報コマンドは、現在の特別図柄保留数の情報である。
【００９８】
前記特別図柄乱数シフト処理（Ｓ１０６−４−５）に次いで、特別図柄変動開始処理（Ｓ１０６−４−６）が行われる。特別図柄変動開始処理（Ｓ１０６−４−６）では、特別図柄の変動開始に必要な処理が行われる。
前記特別図柄変動開始処理（Ｓ１０６−４−６）の次に、特別動作ステータスが２に設定され（Ｓ１０６−４−７）、待機中が解除され（Ｓ１０６−４−８）、前記特別図柄待機処理（Ｓ１０６−４）が終了する。
【００９９】
前記特別動作ステータスが２の場合に行われる変動中処理（Ｓ１０６−５）では図２０に示すように、まず特別図柄の変動時間（変動パターンの変動時間）が終了したか否か判断され（Ｓ１０６−５−１）、変動時間が終了していなければこの変動中処理（Ｓ１０６−５）が終了する。一方、変動時間が終了していれば変動停止コマンドがセットされる（Ｓ１０６−５−２）。続いて特別動作ステータスが３にセットされ（Ｓ１０６−５−３）、その他必要な処理（Ｓ１０６−５−４）が行われた後に、この変動中処理（Ｓ１０６−５）が終了する。
【０１００】
前記特別動作ステータスが３の場合に行われる特別図柄確定処理（Ｓ１０６−６）では図２１に示すように、まず大当たりフラグがＯＮか否か、すなわち大当たりか否か判断される（Ｓ１０６−６−１）。大当たりフラグがＯＮ、すなわち大当たりの場合には、大当たりコマンドが出力バッファに格納され（Ｓ１０６−６−２）、特別動作ステータスが４にセットされた（Ｓ１０６−６−３）後、この特別図柄確定処理（Ｓ１０６−６）が終了する。一方、大当たりフラグがＯＦＦ、すなわち外れの場合には、特別動作ステータスが１にセットされ（Ｓ１０６−６−４）、この特別図柄確定処理（Ｓ１０６−６）が終了する。
【０１０１】
前記特別動作ステータスが４の場合に行われる特別電動役物処理（Ｓ１０６−７）は、特別遊技実行手段（大当たり遊技実行手段）に相当する。特別電動役物処理（Ｓ１０６−７）では、図２２及び図２３に示すように、確変フラグがＯＦＦにされ（Ｓ１０６−７−１）、前記表示装置１０で大当たりオープニング演出が実施されたか確認される（Ｓ１０６−７−２）。大当たりオープニング演出が実施されていない場合には、大当たりオープニング演出が実行され（Ｓ１０６−７−３）、その後に大当たり終了フラグがＯＮ（大当たり遊技終了）か否か判断される（Ｓ１０６−７−４）。一方、大当たりオープニング演出が実施済みの場合には、次に大当たり終了フラグがＯＮ（大当たり遊技終了）か否か判断される（Ｓ１０６−７−４）。
【０１０２】
大当たり終了フラグがＯＮではない、すなわち大当たり遊技終了ではない場合には現在大入賞口４５が開放中か否か判断され（Ｓ１０６−７−５）、開放中ではなく閉鎖中の場合には大入賞口４５の開放時間か否か判断される（Ｓ１０６−７−６）。大入賞口４５の開放時間の場合には大入賞口の開放処理が行われ（Ｓ１０６−７−７）、その後にこの特別電動役物処理（Ｓ１０６−７）が終了する。それに対して大入賞口４５の開放時間となっていないときには、この特別電動役物処理（Ｓ１０６−７）が終了する。
【０１０３】
一方、前記Ｓ１０６−７−５で大入賞口４５が開放中と判断されると、大入賞口閉鎖時間か（Ｓ１０６−７−８）、若しくは大入賞口４５に１０個遊技球が入賞（Ｓ１０６−７−９）の何れかであるか否か判断され、何れでもない場合にはそのままこの特別電動役物処理（Ｓ１０６−７）が終了し、それに対して大入賞口閉鎖時間、若しくは大入賞口４５に１０個遊技球が入賞の何れかである場合には、大入賞口閉鎖処理（Ｓ１０６−７−１０）が実行され、その後にラウンド終了時間か確認される（Ｓ１０６−７−１１）。ラウンド終了時間ではない場合には、そのままこの特別電動役物処理（Ｓ１０６−７）が終了し、それに対してラウンド終了時間の場合には、ラウンドカウンタの値から１減算する処理（Ｓ１０６−７−１２）が行われる。なお、前記大入賞口閉鎖処理（Ｓ１０６−７−１０）では、大入賞口閉鎖のコマンドが出力バッファにセットされる。続いて、ラウンドカウンタが０か否か判断され（Ｓ１０６−７−１３）、ラウンドカウンタが０ではない場合には、そのままこの特別電動役物処理（Ｓ１０６−７）が終了し、それに対してラウンドカウンタが０の場合には、大当たり終了処理と大当たり終了フラグがＯＮにする処理（Ｓ１０６−７−１４）が行われた後、この特別電動役物処理（Ｓ１０６−７）が終了する。なお、前記大当たり終了処理では、エンディングの準備が行われる。
【０１０４】
それに対し、前記Ｓ１０６−７−４で大当たり終了フラグがＯＮ、すなわち大当たり終了と判断されると、大当たり終了フラグをＯＦＦにセットする処理（Ｓ１０６−７−１５）と、大当たりフラグをＯＦＦにする処理（Ｓ１０６−７−１６）が行われ、次に停止特別図柄が確変図柄（奇数のぞろ目）であるか確認され（Ｓ１０６−７−１７）、停止特別図柄が確変図柄である場合には確変フラグがＯＮにされ（Ｓ１０６−７−１８）、一方、停止特別図柄が確変図柄ではなく通常図柄（偶数のぞろ目）である場合には確変フラグがＯＦＦにされ（Ｓ１０６−７−１９）、その後に特別動作ステータスが１にセットされ（Ｓ１０６−７−２０）、この特別電動役物処理（Ｓ１０６−７）が終了する。
【０１０５】
前記特別動作処理（Ｓ１０６）の次に保留数処理（Ｓ１０７）が行われる。保留数処理（Ｓ１０７）では、図２４に示すように現在の保留数がロードされ（Ｓ１０７−１）、保留数が出力バッファにセットされる（Ｓ１０７−２）。
【０１０６】
前記保留数処理（Ｓ１０７）の次に電源断監視処理（Ｓ１０８）が行われる。電源断監視処理（Ｓ１０８）では、図２５に示すように、電源断信号が入力したか判断され（Ｓ１０８−１）、電源断信号が入力していない場合にはこの電源断監視処理（Ｓ１０８）が終了する。一方、電源断信号が入力している場合には、現在のデータ（遊技状態）が前記主制御基板２００のＲＡＭに記憶され（Ｓ１０８−２）、その後電源断フラグがＯＮに設定され（Ｓ１０８−３）、この電源断監視処理（Ｓ１０８）が終了する。なお、前記主制御基板２００のＲＡＭに記憶されるデータ（遊技状態）としては、大きく分けて、表示待機中、図柄変動中、図柄確定表示中、大当たり遊技中のデータがあり、さらにそれぞれ確変状態（高確率状態）と通常状態（低確率状態）のデータがある。
【０１０７】
前記電源断監視処理（Ｓ１０８）の次にその他の処理（Ｓ１０９）が行われる。その他の処理（Ｓ１０９）では、遊技制御に必要なその他の処理が行われる。
【０１０８】
前記サブ制御基板（サブ制御装置）２０５が行う処理について説明する。
前記サブ制御基板２０５が行うサブ制御メイン処理Ｊでは、図２６に示すように、遊技機１の電源投入時にサブ制御基板２０５においてＣＰＵ初期化処理が行われる（Ｓ２０１）。ＣＰＵ初期化処理では、外部ＩＮＴ割り込み（受信割り込み）処理（Ｓ３００）、２ｍｓタイマ割り込み処理（Ｓ４００）、１０ｍｓタイマ割り込み処理（Ｓ５００）に対する設定等が行われる。次に、電源断信号がＯＮでＲＡＭの内容が正常か判断される（Ｓ２０２）。電源断信号がＯＮでなかったり、電源断信号がＯＮでＲＡＭの内容が正常でない場合など電源断信号の状態とＲＡＭの内容正常の両方を満たさない場合は、ＲＡＭの初期化が行われ（Ｓ２０３）、その後にウォッチドッグタイマカウンタ１、２の初期化が行われる（Ｓ２０４）。一方、電源断信号ＯＮとＲＡＭの内容正常の両方を満たす場合には、ＲＡＭの初期化を行うことなくウォッチドッグタイマカウンタ１、２の初期化が行われる（Ｓ２０４）。Ｓ２０１〜Ｓ２０４の処理は、電源投入時の１順目にのみ実行され、その後は実行されることがない。
【０１０９】
ウォッチドッグタイマカウンタ１、２の初期化（Ｓ２０４）の後、ループ処理で割り込み禁止（Ｓ２０５）、乱数シード更新（Ｓ２０６）、ウォッチドッグタイマカウンタ１初期化（Ｓ２０７）、割り込み許可（Ｓ２０８）が行われる。また、ループ処理の間に、外部ＩＮＴ割り込み処理（Ｓ３００）、２ｍｓタイマ割り込み処理（Ｓ４００）、１０ｍｓタイマ割り込み処理（Ｓ５００）が行われる。
【０１１０】
割り込み禁止（Ｓ２０５）では、割り込みが入っても割り込みを禁止する。
乱数シード更新（Ｓ２０６）では、サブ制御基板２０５に設けられている乱数の更新が行われる。
ウォッチドッグタイマカウンタ１初期化（Ｓ２０７）では、ウォッチドッグタイマカウンタ１の値が初期化される。
割り込み許可（Ｓ２０８）では、割り込みの実行を許可する。
【０１１１】
外部ＩＮＴ割り込み処理（Ｓ３００）では、図２７に示すように、前記主制御基板２００からのストローブ（ＳＴＢ）信号がＯＮか確認され（Ｓ３０１）、ストローブ信号がＯＮ、すなわち外部ＩＮＴ入力部にストローブ信号が入力されると、前記主制御基板２００から出力されたコマンド（制御信号）の受信およびＲＡＭへの格納が行われる（Ｓ３０２）。それに対し、ストローブ信号がＯＮになっていなければ、その時点でこの外部ＩＮＴ割り込み処理（Ｓ３００）が終了する。
【０１１２】
２ｍｓタイマ割り込み処理（Ｓ４００）では、図２８に示すように、ランプデータ出力処理（Ｓ４０１）、駆動出力処理（Ｓ４０２）、ウォッチドッグタイマ処理（Ｓ４０３）が行われる。
ランプデータ出力処理（Ｓ４０１）では、１０ｍｓタイマ割り込み処理で作成したランプデータの出力が行われる。
駆動出力処理（Ｓ４０２）では、駆動データの作成、出力処理が行われる。
ウォッチドッグタイマ処理（Ｓ４０３）では、ウォッチドッグタイマのリセット設定が行われる。
【０１１３】
１０ｍｓタイマ割り込み処理（Ｓ５００）では、図２９に示すように、スイッチ状態取得処理（Ｓ５０１）、音声制御処理（Ｓ５０２）、メインコマンド解析処理（Ｓ５０３）、ＳＷ処理（Ｓ５０４）、ランプ処理（Ｓ５０５）、コマンド送信処理（Ｓ５０６）、ウォッチドッグタイマカウンタ２初期化（Ｓ５０７）が行われる。
【０１１４】
スイッチ状態取得処理（Ｓ５０１）では、スイッチデータが格納される。
音声制御処理（Ｓ５０２）では、前記スピーカ３８から発する音声のための処理が行われる。
【０１１５】
メインコマンド解析処理（Ｓ５０３）では、図３０に示すように、前記主制御基板２００から受信したコマンドが入賞コマンドか（５０３−１）、保留情報コマンドか（Ｓ５０３−２）、変動コマンド或いはその他か（Ｓ５０３−３）が順に判断される。前記入賞コマンドは、前記主制御基板２００の処理における事前判定処理（Ｓ１０４−９）で出力バッファにセットされたコマンドである。前記保留情報コマンドは、前記主制御基板２００の処理における始動入賞口検出処理（Ｓ１０４）の保留情報コマンドセット（Ｓ１０４−１０）で出力バッファにセットされたコマンド及び前記特別図柄乱数シフト処理（Ｓ１０６−４−５）の保留情報コマンドセット（Ｓ１０６−４−５−３）で出力バッファにセットされたコマンドである。
【０１１６】
受信コマンドが入賞コマンドの場合には入賞コマンド処理（Ｓ５０３−４）、受信コマンドが保留情報コマンドの場合には保留情報コマンド処理（Ｓ５０３−５）、受信コマンドが変動コマンドの場合には変動コマンド処理（Ｓ５０３−６）、それ以外の場合には受信コマンドに応じた処理を行うその他受信コマンド処理（Ｓ５０３−７）が行われ、その後にこのメインコマンド解析処理（Ｓ５０３）が終了する。前記入賞コマンド処理（Ｓ５０３−４）と前記保留情報コマンド処理（Ｓ５０３−５）は事前報知決定手段に相当し、前記入賞コマンド処理（Ｓ５０３−４）と前記保留情報コマンド処理（Ｓ５０３−５）及び変動コマンド処理（Ｓ５０３−６）は特定態様予告手段に相当する。
【０１１７】
前記入賞コマンド処理（Ｓ５０３−４）では、図３１に示すように、入賞コマンドが大当たり入賞コマンド又はリーチ入賞コマンドか判断される（Ｓ５０３−４−１）。大当たり入賞コマンド又はリーチ入賞コマンドの何れとも異なる場合、この入賞コマンド処理（Ｓ５０３−４）が終了する。
【０１１８】
一方、入賞コマンドが大当たり入賞コマンド又はリーチ入賞コマンドの場合には、保留変化抽選処理（Ｓ５０３−４−２）が行われ、保留変化に当選したか判断される（Ｓ５０３−４−３）。保留変化に当選した場合には、当該保留以前の保留記憶が有るか判断され（Ｓ５０３−４−４）、保留記憶が有る場合には保留変化フラグがＯＮに設定され（Ｓ５０３−４−５）、その後にこの入賞コマンド処理（Ｓ５０３−４）が終了する。
なお、前記Ｓ５０３−４−３で保留変化が外れと判断された場合、あるいは前記Ｓ５０３−４−４で当該保留以前に保留記憶が無いと判断された場合は、この入賞コマンド処理（Ｓ５０３−４）が終了する。
【０１１９】
前記保留情報コマンド処理（Ｓ５０３−５）では、図３２に示すように、保留数が減少したか判断される（Ｓ５０３−５−１）。保留数が減少した場合は保留変化フラグがＯＮか判断される（Ｓ５０３−５−２）。保留変化フラグがＯＦＦの場合にはこの保留情報コマンド処理（Ｓ５０３−５）が終了する。一方、保留変化フラグがＯＮの場合には特別予告禁止フラグがＯＮにセットされ（Ｓ５０３−５−３）、次に保留変化予告抽選処理（Ｓ５０３−５−４）が行われ、その後にこの保留情報コマンド処理（Ｓ５０３−５）が終了する。また、前記Ｓ５０３−５−１で保留数の減少ではないと判断された場合、その他の処理（Ｓ５０３−５−５）が行われ、その後にこの保留情報コマンド処理（Ｓ５０３−５）が終了する。なお、前記特別予告禁止フラグをＯＮにセットする処理（Ｓ５０３−５−３）は、後述の変動コマンド処理（Ｓ５０３−６）におけるＳ５０３−６−２の処理と共に、第３報知予告を実行する場合に第２報知予告を禁止する予告禁止手段に相当する。
【０１２０】
前記保留変化予告抽選処理（Ｓ５０３−５−４）は、事前報知決定手段に相当し、図３３に示すように、保留変化予告抽選が行われる（Ｓ５０３−５−４−１）。前記保留変化予告抽選では、第３報知予告を行うか或いは第４報知予告を行うかの抽選が行われ、次に抽選結果が第３報知予告当選か第４報知予告当選か判断され（Ｓ５０３−５−４−２）、抽選結果が第３報知予告当選の場合には第３報知予告（例えば図６に示す報知予告）がセットされ（Ｓ５０３−５−４−３）、一方抽選結果が第４報知予告当選の場合には第４報知予告（例えば図７に示す報知予告）がセットされる（Ｓ５０３−５−４−４）。その後に保留変化フラグがＯＦＦにセットされ（Ｓ５０３−５−４−５）、この保留変化予告抽選処理（Ｓ５０３−５−４）が終了する。
【０１２１】
前記変動コマンド処理（Ｓ５０３−６）では、図３４に示すように、受信した変動コマンドがリーチ非成立（すなわちリーチなしの外れ変動パターン）の変動コマンドかリーチ成立（すなわちリーチ有り外れ又は大当たりの変動パターン）か判断される（Ｓ５０３−６−１）。リーチ非成立（すなわちリーチなしの外れ変動パターン）の変動コマンドの場合、特別予告禁止フラグがＯＦＦか判断され（Ｓ５０３−６−２）、特別予告禁止フラグがＯＦＦの場合には第２予告抽選処理（Ｓ５０３−６−３）が行われ、一方、特別予告禁止フラグがＯＮの場合には第３予告抽選処理（Ｓ５０３−６−４）と特別予告禁止フラグＯＦＦをセットする処理（Ｓ５０３−６−５）が行われ、その後にこの変動コマンド処理（Ｓ５０３−６）が終了する。また、前記Ｓ５０３−６−１において変動コマンドがリーチ成立（すなわちリーチ有り外れ又は大当たりの変動パターン）の変動コマンドと判断されると、第１予告抽選処理（Ｓ５０３−６−６）が行われ、その後にこの変動コマンド処理（Ｓ５０３−６）が終了する。
【０１２２】
前記第２予告抽選処理（Ｓ５０３−６−３）では、特別図柄の変動表示中に前記第２報知予告を行う場合と前記第２報知予告を行わない場合の前記表示装置１０における演出の選択と、選択した演出のセットが行われる。前記第２予告抽選処理（Ｓ５０３−６−３）では、図３５に示すように、抽選乱数値が取得される（Ｓ５０３−６−３−１）。抽選乱数値は‘０’〜‘９９’からなり、前記Ｓ２０６の乱数シード更新処理で更新される。取得した抽選乱数値が９以下（Ｓ５０３−６−３−２）、１０〜１９（Ｓ５０３−６−３−３）、２０〜４９（Ｓ５０３−６−３−４）、５０〜７９あるいは８０〜９９（Ｓ５０３−６−３−５）か順に判断される。
【０１２３】
取得した抽選乱数値が９以下の場合には予告１（Ｓ５０３−６−３−６）、取得した抽選乱数値が１０〜１９の場合には予告２（Ｓ５０３−６−３−７）、取得乱数値が２０〜４９の場合には予告３（Ｓ５０３−６−３−８）、取得乱数値が５０〜７９の場合には予告４（Ｓ５０３−６−３−９）、取得乱数値が８０〜９９の場合には予告５（Ｓ５０３−６−３−１０）がセットされ、その後にこの第２予告抽選処理（Ｓ５０３−６−３）が終了する。なお、前記第２予告抽選処理（Ｓ５０３−６−３）で設定される前記予告１〜予告４は、前記第１〜第４報知予告の何れも表示されないものであるのに対し、予告５は前記第２報知予告（例えば図５に示す報知予告）が表示されるものである。
【０１２４】
前記第３予告抽選処理（Ｓ５０３−６−４）では、特別図柄の変動表示中に前記第３報知予告を行う場合の前記表示装置１０における演出選択と、選択した演出のセットが行われる。前記第３予告抽選処理（Ｓ５０３−６−４）では、図３６に示すように、前記抽選乱数値が取得され（Ｓ５０３−６−４−１）、取得した抽選乱数値が４９以下（Ｓ５０３−６−４−２）、５０〜６９（Ｓ５０３−６−４−３）、７０〜７９あるいは８０〜９９（Ｓ５０３−６−４−４）か順に判断される。
【０１２５】
取得した抽選乱数値が４９以下の場合には予告１（Ｓ５０３−６−４−５）、取得した抽選乱数値が５０〜６９の場合には予告２（Ｓ５０３−６−４−６）、取得乱数値が７０〜７９の場合には予告３（Ｓ５０３−６−４−７）、取得乱数値が８０〜９９の場合には予告４（Ｓ５０３−６−４−８）がセットされ、その後にこの第３予告抽選処理（Ｓ５０３−６−３）が終了する。なお、前記第３予告抽選処理（Ｓ５０３−６−４）で設定される前記予告１〜予告４は、前記第３報知予告（例えば図６に示す報知予告）が表示可能なものである。
【０１２６】
前記第１予告抽選処理（Ｓ５０３−６−６）では、特別図柄の変動表示中に前記第１報知予告を行う場合と前記第１報知予告を行わない場合の前記表示装置１０における演出選択と、選択した演出のセットが行われる。前記第１予告抽選処理（Ｓ５０３−６−６）では、図３７に示すように、前記抽選乱数値が取得され（Ｓ５０３−６−６−１）、取得した抽選乱数値が９以下（Ｓ５０３−６−６−２）、１０〜１９（Ｓ５０３−６−６−３）、２０〜４９（Ｓ５０３−６−６−４）、５０〜７９あるいは８０〜９９（Ｓ５０３−６−６−５）か順に判断される。
【０１２７】
取得した抽選乱数値が９以下の場合には予告１（Ｓ５０３−６−６−６）、取得した抽選乱数値が１０〜１９の場合には予告２（Ｓ５０３−６−６−７）、取得乱数値が２０〜４９の場合には予告３（Ｓ５０３−６−６−８）、取得乱数値が５０〜７９の場合には予告４（Ｓ５０３−６−６−９）、取得乱数値が８０〜９９の場合には予告５（Ｓ５０３−６−６−１０）がセットされ、その後にこの第１予告抽選処理（Ｓ５０３−６−６）が終了する。なお、前記第１予告抽選処理（Ｓ５０３−６−６）で設定される前記予告１〜予告３及び予告５は、前記第１〜第４報知予告の何れも表示されないものであるのに対し、予告４は前記第１報知予告（例えば図４に示す報知予告）が表示可能なものである。
【０１２８】
前記メインコマンド解析処理（Ｓ５０３）の次に行われるＳＷ処理（Ｓ５０４）では、前記遊技操作スイッチ６７に関する処理が行われる。
ランプ処理（Ｓ５０５）では、出力するランプデータの作成及び演出時間の管理が行われる。
【０１２９】
コマンド送信処理（Ｓ５０６）では、セットされたコマンドの送信処理が行われる。
【０１３０】
ウォッチドッグタイマカウンタ２初期化（Ｓ５０７）では、ウォッチドッグタイマカウンタ２の初期化が行われ、その後にこの１０ｍｓタイマ割り込み処理（Ｓ５００）が終了する。
【０１３１】
このように、本実施例によれば、リーチ状態にならないことが予告された場合であっても、特別図柄の変動表示が行われていない遊技情報の中に事前判定手段によりリーチ状態になると判定された遊技情報が存在する場合には、当該変動でリーチ状態にならないことが報知された後に特別図柄の変動表示が行われていない遊技情報に対して予告報知が行われるため、その後の遊技に対する遊技者の期待感を向上させることが可能となる。
【０１３２】
なお、本実施例では、特定態様はリーチ状態に設定されているが、それに限られず、例えば大当たりの表示態様のみを特定態様としたり、確変大当たりの表示態様を特定態様としたり、リーチや大当たりに関係しない表示態様を特定態様としてもよい。また、本実施例では、第４報知予告を抽選で行うようにしているが、第４報知予告を無くしてもよい。さらに、本発明は本実施例に限定されることなく、発明の趣旨を逸脱しない範囲で変更可能である。
【符号の説明】
【０１３３】
１  遊技機
２  遊技盤
１０  表示装置
４１  上側始動入賞口
４２  下側始動入賞口
６４  発射装置
【図１】
0005927436.tif 000002
【図２】
0005927436.tif 000003
【図３】
0005927436.tif 000004
【図４】
0005927436.tif 000005
【図５】
0005927436.tif 000006
【図６】
0005927436.tif 000007
【図７】
0005927436.tif 000008
【図８】
0005927436.tif 000009
【図９】
0005927436.tif 000010
【図１０】
0005927436.tif 000011
【図１１】
0005927436.tif 000012
【図１２】
0005927436.tif 000013
【図１３】
0005927436.tif 000014
【図１４】
0005927436.tif 000015
【図１５】
0005927436.tif 000016
【図１６】
0005927436.tif 000017
【図１７】
0005927436.tif 000018
【図１８】
0005927436.tif 000019
【図１９】
0005927436.tif 000020
【図２０】
0005927436.tif 000021
【図２１】
0005927436.tif 000022
【図２２】
0005927436.tif 000023
【図２３】
0005927436.tif 000024
【図２４】
0005927436.tif 000025
【図２５】
0005927436.tif 000026
【図２６】
0005927436.tif 000027
【図２７】
0005927436.tif 000028
【図２８】
0005927436.tif 000029
【図２９】
0005927436.tif 000030
【図３０】
0005927436.tif 000031
【図３１】
0005927436.tif 000032
【図３２】
0005927436.tif 000033
【図３３】
0005927436.tif 000034
【図３４】
0005927436.tif 000035
【図３５】
0005927436.tif 000036
【図３６】
0005927436.tif 000037
【図３７】
0005927436.tif 000038